(57)【特許請求の範囲】
【請求項１】
予め定められた周波数帯域である要素キャリアを複数用いて通信を行う通信装置と、複数の基地局装置と、を具備する無線通信システムであって、
第１の前記基地局装置は、
前記複数の基地局装置各々が通信に用いる要素キャリアから、通信装置との通信に用いる要素キャリアを選択するキャリア集合決定部と、
前記キャリア集合決定部が選択した要素キャリアを示すキャリア集合情報を、第２の前記基地局装置に通知するキャリア集合情報通知部と、
前記通信装置に送信するデータの一部を変調した信号を、前記キャリア集合決定部が選択した第１の要素キャリアに配置して送信する第１の送信部と、
を備え、
第２の前記基地局装置は、
前記通信装置に送信するデータの一部を変調した信号を、前記第１の基地局装置から通知されたキャリア集合情報が示す第２の要素キャリアに配置して送信する第２の送信部を備え、
前記通信装置は、
前記第１の基地局装置から前記第１の要素キャリアを用いて信号を受信し、前記第２の基地局装置から前記第２の要素キャリアを用いて信号を受信する受信部と、
前記受信部が受信した信号を統合する無線処理部と、
を備えることを特徴とする無線通信システム。
【請求項２】
前記キャリア集合情報通知部は、前記キャリア集合情報を前記通信装置に通知し、
前記受信部は、前記第１の基地局装置に通知されたキャリア集合情報に基づいて、信号を受信することを特徴とする請求項１に記載の無線通信システム。
【請求項３】
前記第１の要素キャリアは、前記複数の基地局装置各々が通信に用いる要素キャリアの中から１つ選択された主要素キャリアであることを特徴とする請求項１又は２に記載の無線通信システム。
【請求項４】
前記第１の基地局装置は、
前記キャリア集合情報に基づいて前記通信装置に送信するデータを分割し、分割したデータを前記第２の基地局装置に送信するデータ分配部を備え、
前記第１の送信部は、前記データ分配部が分割したデータを変調した信号を、前記キャリア集合決定部が選択した要素キャリアに配置して送信し、
前記第２の基地局装置は、
前記第１の基地局装置から受信したデータを受信するデータ送受信処理部を備え、
前記第２の送信部は、前記データ送受信処理部が受信したデータを変調した信号を、前記第１の基地局装置から通知されたキャリア集合情報が示す要素キャリアに配置して送信することを特徴とする請求項１乃至３のいずれか一項に記載の無線通信システム。
【請求項５】
前記キャリア集合情報は、前記基地局装置を識別する基地局情報と、前記要素キャリアを識別する要素キャリア識別情報と、前記要素キャリア識別情報の要素キャリアが主要素キャリアであるか否かを示す要素キャリア種別情報と、を含むことを特徴とする請求項１乃至４のいずれか一項に記載の無線通信システム。
【請求項６】
前記無線通信システムは、複数の通信装置を具備し、
前記第１の基地局装置及び前記第２の基地局装置は、
前記キャリア集合情報を記憶するキャリア集合情報記憶部を備え、
キャリア集合情報記憶部が記憶する前記キャリア集合情報は、前記通信装置を識別する通信装置識別情報と、前記基地局装置を識別する基地局情報と、前記要素キャリアを識別する要素キャリア識別情報と、前記要素キャリア識別情報の要素キャリアが主要素キャリアであるか否かを示す要素キャリア種別情報と、を含むことを特徴とする請求項５に記載の無線通信システム。
【請求項７】
前記通信装置は、第１の基地局装置のうち１つの要素キャリアで通信の待ち受けを行い、通信が発生した場合に接続要求を前記第１の基地局装置に送信する無線処理部を備え、
前記キャリア集合決定部は、前記通信装置から接続要求を受信すると、通信装置との通信に用いる要素キャリアを選択することを特徴とする請求項１乃至６のいずれか一項に記載の無線通信システム。
【請求項８】
前記キャリア集合決定部は、前記複数の基地局装置各々が通信に用いる要素キャリア各々での伝搬品質又は通信トラフィック量に基づいて、通信装置との通信に用いる要素キャリアを選択することを特徴とする請求項１乃至７のいずれか一項に記載の無線通信システム。
【請求項９】
前記第１の前記基地局装置は、
前記通信装置との通信に用いる要素キャリアを切り替えるか否かを判定する切替検出部と、
前記切替検出部が要素キャリアを切り替えると判定した場合、前記複数の基地局装置各々が通信に用いる要素キャリアから、通信装置との通信に用いる要素キャリアを選択する切替実行部と、
を備え、
前記キャリア集合情報通知部は、前記切替実行部が選択した要素キャリアを示すキャリア集合情報を、第２の前記基地局装置に通知し、
前記第１の送信部は、前記通信装置に送信するデータの一部を変調した信号を、前記切替実行部が選択した第１の要素キャリアに配置して送信し、
前記受信部は、信号を受信する要素キャリアを、前記第１の基地局装置から通知されたキャリア集合情報が示す要素キャリアに切り替えることを特徴とする請求項１乃至８のいずれか一項に記載の無線通信システム。
【請求項１０】
前記切替検出部は、前記複数の基地局装置各々が通信に用いる要素キャリア各々での伝搬品質又は通信トラフィック量に基づいて、要素キャリアを切り替えるか否かを判定し、
前記切替実行部は、前記複数の基地局装置各々が通信に用いる要素キャリア各々での伝搬品質又は通信トラフィック量に基づいて、通信装置との通信に用いる要素キャリアを選択することを特徴とする請求項９に記載の無線通信システム。
【請求項１１】
前記切替実行部は、前記選択した要素キャリアの中から１つ主要素キャリアを選択し、
前記切替実行部が選択した主要素キャリアを前記通信装置との通信に用いる主基地局装置は、
前記通信装置との通信に用いる要素キャリアを切り替えるか否かを判定する切替検出部と、
前記切替検出部が要素キャリアを切り替えると判定した場合、前記複数の基地局装置各々が通信に用いる要素キャリアから、通信装置との通信に用いる要素キャリアを選択する切替実行部と、
を備えることを特徴とする請求項９又は１０に記載の無線通信システム。
【請求項１２】
前記主基地局装置は、
前記切替実行部が選択した要素キャリアを示すキャリア集合情報に基づいて前記通信装置に送信するデータを分割し、分割したデータを前記第２の基地局装置に送信するデータ分配部と、
前記データ分配部が分割したデータを変調した信号を、前記切替実行部が選択した要素キャリアに配置して送信する送信部と、
を備え、
前記第２の基地局装置は、
前記主基地局装置から受信したデータを受信するデータ送受信処理部と、
前記データ送受信処理部が受信したデータを変調した信号を、前記第１の基地局装置から通知されたキャリア集合情報が示す要素キャリアに配置して送信する第２の送信部と、
を備えることを特徴とする請求項１１に記載の無線通信システム。
【請求項１３】
前記受信部は、前記第１の基地局装置から通知されたキャリア集合情報が示す要素キャリアのうち、変更があった要素キャリアのみを切り替えることを特徴とする請求項９乃至１１のいずれか一項に記載の無線通信システム。
【請求項１４】
前記切替実行部又は前記キャリア集合決定部は、前記複数の基地局装置各々が通信に用いる要素キャリア各々での伝搬品質又は通信トラフィック量に基づいて、主要素キャリアを選択することを特徴とする請求項３又は１１に記載の無線通信システム。
【請求項１５】
予め定められた周波数帯域である要素キャリアを複数用いて通信装置と通信を行う基地局装置において、
複数の基地局装置各々が通信に用いる要素キャリアから、通信装置との通信に用いる要素キャリアを選択するキャリア集合決定部と、
前記キャリア集合決定部が選択した要素キャリアを示すキャリア集合情報を、他の前記基地局装置に通知するキャリア集合情報通知部と、
前記通信装置に送信するデータの一部を変調した信号を、前記キャリア集合決定部が選択した要素キャリアに配置して送信する送信部と、
を備えることを特徴とする基地局装置。
【請求項１６】
予め定められた周波数帯域である要素キャリアを複数用いて通信装置と通信を行う基地局装置における通信制御方法において、
キャリア集合決定部が、複数の基地局装置各々が通信に用いる要素キャリアから、通信装置との通信に用いる要素キャリアを選択する第１の過程と、
キャリア集合情報通知部が、前記第１の過程で選択した要素キャリアを示すキャリア集合情報を、他の前記基地局装置に通知する第２の過程と、
送信部が、前記通信装置に送信するデータの一部を変調した信号を、前記第１の過程で選択した要素キャリアに配置して送信する第３の過程と、
を有することを特徴とする通信制御方法。
【請求項１７】
予め定められた周波数帯域である要素キャリアを複数用いて通信装置と通信を行う基地局装置のコンピュータを、
複数の基地局装置各々が通信に用いる要素キャリアから、通信装置との通信に用いる要素キャリアを選択するキャリア集合決定手段、
前記キャリア集合決定手段で選択した要素キャリアを示すキャリア集合情報を、他の前記基地局装置に通知するキャリア集合情報通知手段、
前記通信装置に送信するデータの一部を変調した信号を、前記キャリア集合決定手段で選択した要素キャリアに配置して送信する送信手段、
として機能させる通信制御プログラム。
【請求項１８】
予め定められた周波数帯域である要素キャリアを複数用いて通信を行う通信装置と、複数の基地局装置と、ネットワーク装置と、を具備する無線通信システムであって、
前記ネットワーク装置は、
前記複数の基地局装置各々が通信に用いる要素キャリアから、通信装置との通信に用いる要素キャリアを選択するキャリア集合決定部と、
前記キャリア集合決定部が選択した要素キャリアを示すキャリア集合情報を、第１の前記基地局装置と第２の前記基地局装置に通知するキャリア集合情報通知部と、
前記第１の基地局装置は、
前記通信装置に送信するデータの一部を変調した信号を、前記ネットワーク装置から通知されたキャリア集合情報が示す第１の要素キャリアに配置して送信する第１の送信部と、
を備え、
前記第２の基地局装置は、
前記通信装置に送信するデータの一部を変調した信号を、前記ネットワーク装置から通知されたキャリア集合情報が示す第２の要素キャリアに配置して送信する第２の送信部を備え、
前記通信装置は、
前記第１の基地局装置から前記第１の要素キャリアを用いて信号を受信し、前記第２の基地局装置から前記第２の要素キャリアを用いて信号を受信する受信部と、
前記受信部が受信した信号を統合する無線処理部と、
を備えることを特徴とする無線通信システム。
【請求項１９】
予め定められた周波数帯域である要素キャリアを複数用いて通信装置と通信を行う基地局装置と通信できるネットワーク装置において、
複数の基地局装置各々が通信に用いる要素キャリアから、通信装置との通信に用いる要素キャリアを選択するキャリア集合決定部と、
前記キャリア集合決定部が選択した要素キャリアを示すキャリア集合情報であって、前記通信装置に送信するデータの一部を変調した信号を配置させる第１の要素キャリアを示すキャリア集合情報を前記第１の基地局装置に通知し、前記通信装置に送信するデータの一部を変調した信号を配置させる第２の要素キャリアを示すキャリア集合情報を前記第２の基地局装置に通知するキャリア集合情報通知部と、
を備えることを特徴とするネットワーク装置。
【請求項２０】
予め定められた周波数帯域である要素キャリアを複数用いて通信装置と通信を行う基地局装置と通信できるネットワーク装置における通信制御方法において、
キャリア集合決定部が、複数の基地局装置各々が通信に用いる要素キャリアから、通信装置との通信に用いる要素キャリアを選択する第１の過程と、
キャリア集合情報通知部が、前記第１の過程で選択した要素キャリアを示すキャリア集合情報であって、前記通信装置に送信するデータの一部を変調した信号を配置させる第１の要素キャリアを示すキャリア集合情報を前記第１の基地局装置に通知し、前記通信装置に送信するデータの一部を変調した信号を配置させる第２の要素キャリアを示すキャリア集合情報を前記第２の基地局装置に通知する第２の過程と、
を有することを特徴とする通信制御方法。
【請求項２１】
予め定められた周波数帯域である要素キャリアを複数用いて通信装置と通信を行う基地局装置と通信できるネットワーク装置のコンピュータを、
複数の基地局装置各々が通信に用いる要素キャリアから、通信装置との通信に用いる要素キャリアを選択するキャリア集合決定手段、
前記キャリア集合決定手段で選択した要素キャリアを示すキャリア集合情報であって、前記通信装置に送信するデータの一部を変調した信号を配置させる第１の要素キャリアを示すキャリア集合情報を前記第１の基地局装置に通知し、前記通信装置に送信するデータの一部を変調した信号を配置させる第２の要素キャリアを示すキャリア集合情報を前記第２の基地局装置に通知するキャリア集合情報通知手段、
として機能させる通信制御プログラム。
【発明の詳細な説明】
【技術分野】
【０００１】
本発明は、無線通信システム、基地局装置、ネットワーク装置、通信制御方法、及び通信制御プログラムに関する。
本願は、２０１０年３月５日に、日本に出願された特願２０１０−０４９６７４号に基づき優先権を主張し、その内容をここに援用する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ；第３世代パートナーシッププロジェクト）では、現在３ＧＰＰのＲｅｌ−８で策定されているＬＴＥ（Ｌｏｎｇ  Ｔｅｒｍ  Ｅｖｏｌｕｔｉｏｎ；（第３世代の）長期進化）の次の通信方式としてＬＴＥ−Ａ（ＬＴＥ−Ａｄｖａｎｃｅｄ）の検討が行われている。ＬＴＥ−Ａでは、ＬＴＥよりも高速の通信を実現することが要求されており、ＬＴＥよりも広帯域（ＬＴＥの２０ＭＨｚの帯域を越える１００ＭＨｚまでの帯域）をサポートすることが求められている。
しかし、世界的に広帯域の連続した周波数領域をＬＴＥ−Ａ用として確保することは困難である。また、ＬＴＥ−Ａでは、ＬＴＥとの互換性を持つことが好ましい。
そこで、帯域幅が２０ＭＨｚまでのキャリアを複数まとめて通信に用いることで、最大１００ＭＨｚの帯域幅を確保し、高速かつ大容量の通信を実現させるキャリアアグリゲーション（Ｃａｒｒｉｅｒ  Ａｇｇｒｅｇａｔｉｏｎ：ＣＡ）技術が提案されている。このＣＡ技術は、３ＧＰＰ  ＲＡＮ１＃５３ｂ会合で、ＬＴＥ−Ａで用いる通信技術として合意された(非特許文献１)。なお、ＣＡ技術では、２０ＭＨｚまでのキャリアは、コンポーネントキャリア（Ｃｏｍｐｏｎｅｎｔ  Ｃａｒｅｅｒ；ＣＣ）と呼ばれる。【０００３】
ところで、ＣＡ技術については、以下の非特許文献２、３が知られている。
非特許文献２には、一つの基地局から送信される同じカバレッジの複数のＣＣのＣＡ技術について記載されている。また、非特許文献２には、ＣＣについてはＬＴＥで規定されているＣＣに加えて、ＬＴＥ−Ａで規定されている予定のＬＴＥ非互換のＣＣを考慮にいれたＣＡ技術が記載され、同期方法、システムインフォメーション、制御情報等について規格策定の方向性を示唆する技術が記載されている。
また、非特許文献３には、ＬＴＥ互換、非互換のＣＣのＣＡ技術が記載され、各セルの通信トラフィック状況に応じてＣＡ技術を用いる技術が記載されている。
【先行技術文献】
【非特許文献】
【０００４】
【非特許文献１】３ＧＰＰ  ＴＲ３６．８１４、“Ｆｕｒｔｈｅｒ  ａｄｖａｎｃｅｍｅｎｔｓ  ｆｏｒ  Ｅ−ＵＴＲＡ  Ｐｈｙｓｉｃａｌ  ｌａｙｅｒ  ａｓｐｅｃｔｓ”、５章、［２０１０年１月４日検索］、インターネット＜ＵＲＬ：ｈｔｔｐ：／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．８１４＞
【非特許文献２】Ｒ１−０９１７５０、［２０１０年１月４日検索］、インターネット＜ＵＲＬ：  ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿５７／Ｄｏｃｓ／Ｒ１−０９１７５０．ｚｉｐ＞
【非特許文献３】“Ｖｉｅｗｓ  ｏｎ  Ｃｏｍｐｏｎｅｎｔ  Ｃａｒｒｉｅｒ  Ｔｙｐｅｓ  ｆｏｒ  Ｃａｒｒｉｅｒ  Ａｇｇｒｅｇａｔｉｏｎ  ｉｎ  ＬＴＥ−Ａｄｖａｎｃｅｄ”、［２０１０年１月４日検索］、インターネット（ＵＲＬ：  ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿５８／Ｄｏｃｓ／Ｒ１−０９３５０７．ｚｉｐ）
【発明の概要】
【発明が解決しようとする課題】
【０００５】
しかしながら、従来技術は、端末装置が、同時に１つの基地局装置とキャリアアグリゲーション技術を用いて通信する技術であった。つまり、従来技術では、端末装置との通信に用いるコンポーネントキャリアを、１つの基地局装置が通信に用いるコンポーネントキャリアから選択しなければならないという欠点があった。【０００６】
本発明は上記の点に鑑みてなされたものであり、コンポーネントキャリアの多様性を得ることができる無線通信システム、基地局装置、ネットワーク装置、通信制御方法、及び通信制御プログラムを提供する。
【課題を解決するための手段】
【０００７】
（１）本発明は上記の課題を解決するためになされたものであり、本発明は、予め定められた周波数帯域である要素キャリアを複数用いて通信を行う通信装置と、複数の基地局装置と、を具備する無線通信システムであって、第１の前記基地局装置は、前記通信装置に送信するデータの一部を変調した信号を、第１の要素キャリアに配置して送信し、第２の前記基地局装置は、前記通信装置に送信するデータの一部を変調した信号を、第２の要素キャリアに配置して送信し、前記通信装置は、前記第１の基地局装置から前記第１の要素キャリアを用いて受信した信号と、前記第２の基地局装置から前記第２の要素キャリアを用いて受信した信号と、を復調し、復調したデータを統合することを特徴とする無線通信システムである。【０００８】
（２）また、本発明は、上記の無線通信システムにおいて、前記第１の基地局装置は、
前記複数の基地局装置各々が通信に用いる要素キャリアから、通信装置との通信に用いる要素キャリアを選択するキャリア集合決定部と、前記キャリア集合決定部が選択した要素キャリアを示すキャリア集合情報を、第２の前記基地局装置に通知するキャリア集合情報通知部と、前記通信装置に送信するデータの一部を変調した信号を、前記キャリア集合決定部が選択した第１の要素キャリアに配置して送信する第１の送信部と、を備え、前記第２の基地局装置は、前記通信装置に送信するデータの一部を変調した信号を、前記第１の基地局装置から通知されたキャリア集合情報が示す第２の要素キャリアに配置して送信する第２の送信部を備え、前記通信装置は、前記第１の基地局装置から前記第１の要素キャリアを用いて信号を受信し、前記第２の基地局装置から前記第２の要素キャリアを用いて信号を受信する受信部と、前記受信部が受信した信号を統合する無線処理部と、を備えることを特徴とする。【０００９】
（３）また、本発明は、上記の無線通信システムにおいて、前記キャリア集合情報通知部は、前記キャリア集合情報を前記通信装置に通知し、前記受信部は、前記第１の基地局装置に通知されたキャリア集合情報に基づいて、信号を受信することを特徴とする。【００１０】
（４）また、本発明は、上記の無線通信システムにおいて、前記第１の要素キャリアは、前記複数の基地局装置各々が通信に用いる要素キャリアの中から１つ選択された主要素キャリアであることを特徴とする。【００１１】
（５）また、本発明は、上記の無線通信システムにおいて、前記第１の基地局装置は、
前記キャリア集合情報に基づいて前記通信装置に送信するデータを分割し、分割したデータを前記第２の基地局装置に送信するデータ分配部を備え、前記第１の送信部は、前記データ分配部が分割したデータを変調した信号を、前記キャリア集合決定部が選択した要素キャリアに配置して送信し、前記第２の基地局装置は、前記第１の基地局装置から受信したデータを受信するデータ送受信処理部を備え、前記第２の送信部は、前記データ送受信処理部が受信したデータを変調した信号を、前記第１の基地局装置から通知されたキャリア集合情報が示す要素キャリアに配置して送信することを特徴とする。【００１２】
（６）また、本発明は、上記の無線通信システムにおいて、前記キャリア集合情報は、前記基地局装置を識別する基地局情報と、前記要素キャリアを識別する要素キャリア識別情報と、前記要素キャリア識別情報の要素キャリアが主要素キャリアであるか否かを示す要素キャリア種別情報と、を含むことを特徴とする。【００１３】
（７）また、本発明は、上記の無線通信システムにおいて、前記無線通信システムは、複数の通信装置を具備し、前記第１の基地局装置及び前記第２の基地局装置は、前記キャリア集合情報を記憶するキャリア集合情報記憶部を備え、キャリア集合情報記憶部が記憶する前記キャリア集合情報は、前記通信装置を識別する通信装置識別情報と、前記基地局装置を識別する基地局情報と、前記要素キャリアを識別する要素キャリア識別情報と、前記要素キャリア識別情報の要素キャリアが主要素キャリアであるか否かを示す要素キャリア種別情報と、を含むことを特徴とする。【００１４】
（８）また、本発明は、上記の無線通信システムにおいて、前記通信装置は、第１の基地局装置のうち１つの要素キャリアで通信の待ち受けを行い、通信が発生した場合に接続要求を前記第１の基地局装置に送信する無線処理部を備え、前記キャリア集合決定部は、前記通信装置から接続要求を受信すると、通信装置との通信に用いる要素キャリアを選択することを特徴とする。【００１５】
（９）また、本発明は、上記の無線通信システムにおいて、前記キャリア集合決定部は、前記複数の基地局装置各々が通信に用いる要素キャリア各々での伝搬品質又は通信トラフィック量に基づいて、通信装置との通信に用いる要素キャリアを選択することを特徴とする。【００１６】
（１０）また、本発明は、上記の無線通信システムにおいて、前記第１の前記基地局装置は、前記通信装置との通信に用いる要素キャリアを切り替えるか否かを判定する切替検出部と、前記ハンドオーバ検出部が要素キャリアを切り替えると判定した場合、前記複数の基地局装置各々が通信に用いる要素キャリアから、通信装置との通信に用いる要素キャリアを選択する切替実行部と、を備え、前記キャリア集合情報通知部は、前記切替実行部が選択した要素キャリアを示すキャリア集合情報を、第２の前記基地局装置に通知し、前記第１の送信部は、前記通信装置に送信するデータの一部を変調した信号を、前記切替実行部が選択した第１の要素キャリアに配置して送信し、前記受信部は、信号を受信する要素キャリアを、前記第１の基地局装置から通知されたキャリア集合情報が示す要素キャリアに切り替えることを特徴とする。【００１７】
（１１）また、本発明は、上記の無線通信システムにおいて、前記切替検出部は、前記複数の基地局装置各々が通信に用いる要素キャリア各々での伝搬品質又は通信トラフィック量に基づいて、要素キャリアを切り替えるか否かを判定し、前記切替実行部は、前記複数の基地局装置各々が通信に用いる要素キャリア各々での伝搬品質又は通信トラフィック量に基づいて、通信装置との通信に用いる要素キャリアを選択することを特徴とする。【００１８】
（１２）また、本発明は、上記の無線通信システムにおいて、前記切替実行部は、前記選択した要素キャリアの中から１つ主要素キャリアを選択し、前記切替実行部が選択した主要素キャリアを前記通信装置との通信に用いる主基地局装置は、前記通信装置との通信に用いる要素キャリアを切り替えるか否かを判定する切替検出部と、前記ハンドオーバ検出部が要素キャリアを切り替えると判定した場合、前記複数の基地局装置各々が通信に用いる要素キャリアから、通信装置との通信に用いる要素キャリアを選択する切替実行部と、
を備えることを特徴とする。【００１９】
（１３）また、本発明は、上記の無線通信システムにおいて、前記主基地局装置は、前記切替実行部が選択した要素キャリアを示すキャリア集合情報に基づいて前記通信装置に送信するデータを分割し、分割したデータを前記第２の基地局装置に送信するデータ分配部と、前記データ分配部が分割したデータを変調した信号を、前記切替実行部が選択した要素キャリアに配置して送信する送信部と、を備え、前記第２の基地局装置は、前記主基地局装置から受信したデータを受信するデータ送受信処理部と、前記データ送受信処理部が受信したデータを変調した信号を、前記第１の基地局装置から通知されたキャリア集合情報が示す要素キャリアに配置して送信する第２の送信部と、を備えることを特徴とする。【００２０】
（１４）また、本発明は、上記の無線通信システムにおいて、前記受信部は、前記第１の基地局装置から通知されたキャリア集合情報が示す要素キャリアのうち、変更があった要素キャリアのみを切り替えることを特徴とする。【００２１】
（１５）また、本発明は、上記の無線通信システムにおいて、前記切替実行部又は前記キャリア集合決定部は、前記複数の基地局装置各々が通信に用いる要素キャリア各々での伝搬品質又は通信トラフィック量に基づいて、主要素キャリアを選択することを特徴とする。【００２２】
（１６）また、本発明は、予め定められた周波数帯域である要素キャリアを複数用いて通信装置と通信を行う基地局装置において、前記複数の基地局装置各々が通信に用いる要素キャリアから、通信装置との通信に用いる要素キャリアを選択するキャリア集合決定部と、前記キャリア集合決定部が選択した要素キャリアを示すキャリア集合情報を、他の前記基地局装置に通知するキャリア集合情報通知部と、前記通信装置に送信するデータの一部を変調した信号を、前記キャリア集合決定部が選択した要素キャリアに配置して送信する送信部と、を備えることを特徴とする基地局装置である。【００２３】
（１７）また、本発明は、予め定められた周波数帯域である要素キャリアを複数用いて通信を行う通信装置において、第１の基地局装置から第１の要素キャリアを用いて信号を受信し、第２の基地局装置から第２の要素キャリアを用いて信号を受信する受信部と、前記受信部が受信した信号を統合する無線処理部と、を備えることを特徴とする通信装置である。【００２４】
（１８）また、本発明は、予め定められた周波数帯域である要素キャリアを複数用いて通信装置と通信を行う基地局装置における通信制御方法において、キャリア集合決定部が、前記複数の基地局装置各々が通信に用いる要素キャリアから、通信装置との通信に用いる要素キャリアを選択する第１の過程と、キャリア集合情報通知部が、前記第１の過程で選択した要素キャリアを示すキャリア集合情報を、他の前記基地局装置に通知する第２の過程と、送信部が、前記通信装置に送信するデータの一部を変調した信号を、前記第１の過程で選択した要素キャリアに配置して送信する第３の過程と、を有することを特徴とする基地局装置である。【００２５】
（１９）また、本発明は、予め定められた周波数帯域である要素キャリアを複数用いて通信を行う通信装置における通信制御方法おいて、受信部が、第１の基地局装置から第１の要素キャリアを用いて信号を受信し、第２の基地局装置から第２の要素キャリアを用いて信号を受信する第１の過程と、無線処理部が、前記第１の過程で受信した信号を統合する第２の過程と、を有することを特徴とする通信装置である。【００２６】
（２０）また、本発明は、上記の無線通信システムにおいて、予め定められた周波数帯域である要素キャリアを複数用いて通信装置と通信を行う基地局装置のコンピュータを、前記複数の基地局装置各々が通信に用いる要素キャリアから、通信装置との通信に用いる要素キャリアを選択するキャリア集合決定手段、前記キャリア集合決定手段で選択した要素キャリアを示すキャリア集合情報を、他の前記基地局装置に通知するキャリア集合情報通知手段、前記通信装置に送信するデータの一部を変調した信号を、前記キャリア集合決定手段で選択した要素キャリアに配置して送信する送信手段、として機能させる通信制御プログラムである。【００２７】
（２１）また、本発明は、予め定められた周波数帯域である要素キャリアを複数用いて通信を行う通信装置のコンピュータを、第１の基地局装置から第１の要素キャリアを用いて信号を受信し、第２の基地局装置から第２の要素キャリアを用いて信号を受信する受信手段、前記受信手段で受信した信号を統合する無線処理手段、として機能させる通信制御プログラムである。
【発明の効果】
【００２８】
本発明によれば、無線通信システムは、コンポーネントキャリアの多様性を得ることができる。
【図面の簡単な説明】
【００２９】
【図１】本発明の通信システムを示す概念図である。
【図２】本実施形態に係る基地局装置及び端末装置の構成を示す概略ブロック図である。
【図３】本実施形態に係るメイン基地局制御部、サブ基地局制御部及び端末制御部の構成を示す概略ブロック図である。
【図４】本実施形態に係る基地局装置が記憶するＤＬＣＣ割当情報の一例を示す概略図である。
【図５】本実施形態に係る端末装置が記憶するＤＬＣＣ割当情報の一例を示す概略図である。
【図６】本実施形態に係るメイン基地局制御部の動作の一例を示すシーケンス図である。
【図７】本実施形態に係るＣＡ決定処理の一例を示すシーケンス図である。
【図８】本実施形態に係るＤＬ伝搬路品質情報の一例を示す概略図である。
【図９】本実施形態に係るハンドオーバ処理の一例を示すシーケンス図である。
【図１０】サブ基地局制御部が行う処理の一例を示す概略図である
【図１１】本実施形態に係るサブＣＣのハンドオーバ処理の一例を示す概略図である。
【図１２】本実施形態に係る通信システムの動作の一例を示すシーケンス図である。
【図１３】本実施形態に係るメインＣＣのハンドオーバ処理の一例を示す概略図である。
【図１４】本実施形態に係る通信システムの動作の別の一例を示すシーケンス図である。
【図１５】本実施形態に係るメインＣＣ切り替えハンドオーバ処理の一例を示す概略図である。
【図１６】本実施形態に係る通信システムの動作の別の一例を示すシーケンス図である。
【図１７】本実施形態に係る端末装置の動作の一例を示すシーケンス図である。
【図１８】本実施形態に係る端末装置の動作の別の一例を示すシーケンス図である。
【図１９】本実施形態に係る端末装置の動作の別の一例を示すシーケンス図である。
【図２０】本実施形態の変形例に係る基地局装置が記憶するＤＬＣＣ割当情報の一例を示す概略図である。
【図２１】本実施形態の変形例に係る端末装置が記憶するＤＬＣＣ割当情報の一例を示す概略図である。
【発明を実施するための形態】
【００３０】
以下、図面を参照しながら本発明の実施形態について詳しく説明する。
図１は、本発明の通信システムを示す概念図である。この図において、通信システムは、基地局装置Ａ、Ｂ、及び端末装置Ｃを具備する。例えば、端末装置Ｃは、携帯電話装置等の移動局装置である。また、基地局装置Ａ、Ｂは、コアネットワークを介して互いに接続されている。
【００３１】
図１において、基地局装置Ａと端末装置Ｃ、基地局装置Ｂと端末装置Ｃは、無線接続して通信している。この通信では、複数のコンポーネントキャリア（要素キャリア。ＣＣという；例えば、２０ＭＨｚの周波数帯域）が用いられる。この図は、基地局装置Ａ及びＢから端末装置Ｃへ（ダウンリンクという；ＤＬ（ＤｏｗｎＬｉｎｋ））の通信で、３個のＣＣが通信に用いられていることを示す。基地局装置Ａから端末装置Ｃへの通信には符号Ｓ１１を付したＣＣ１（ＤＬ  ＣＣ１）と符号Ｓ１２を付したＣＣ２（ＤＬ  ＣＣ２）が用いられ、基地局装置Ｂから端末装置Ｃへの通信には符号Ｓ１３を付したＣＣ３（ＤＬ  ＣＣ３）が用いられている。
ここで、基地局装置Ａ及びＢは、それぞれ、ＣＣ１〜３を用いて通信できるが、図１の例では、それら合計６個のＣＣから３個（基地局装置ＡのＣＣ１及びＣＣ２、基地局装置ＢのＣＣ３）を、基地局装置Ａが選択していることを示す。なお、図１の例では、基地局装置Ａ及びＢがＣＣ１〜３を用いて通信できる場合について説明をしたが、本発明はこれに限らず、一方の基地局装置はあるＣＣを用いて通信できなくてもよいし、また、一方又は両方の基地局装置はＣＣ４を用いて通信できてもよい。
なお、複数のＣＣを通信に用いることで、高速かつ大容量の通信を実現させる通信技術を、キャリアアグリゲーション（Ｃａｒｒｉｅｒ  Ａｇｇｒｅｇａｔｉｏｎ：ＣＡ）技術という。また、端末装置Ｃから基地局装置Ａ及びＢへの通信をアップリンク（ＵＬ（ＵｐＬｉｎｋ））の通信という。
【００３２】
また、図１は、ＤＬ  ＣＣ２がメインコンポーネントキャリア（メインＣＣ）として、端末装置Ｃに割り当てられていることを示す。メインＣＣとは、基地局装置Ａ及びＢが端末装置各々に１個、割り当てるＣＣであり、ＣＣの選択及びハンドオーバ等の主な制御はメインＣＣを介して行われる。なお、端末装置Ｃとの通信に用いるＣＣのうち、メインＣＣ以外のＣＣ（図１の例では、ＤＬ  ＣＣ１、３）を、サブコンポーネントキャリア（サブＣＣ）と称する。また、メインＣＣ及びサブＣＣをまとめたものをＣＡセットという。
また、端末装置Ｃとの通信にメインＣＣを用いる基地局装置をメイン基地局装置（図１では基地局装置Ａ）といい、端末装置Ｃとの通信にサブＣＣのみを用いる基地局装置（図１では基地局装置Ｂ）をサブ基地局装置という。
【００３３】
図２は、本実施形態に係る基地局装置Ａ、Ｂ、及び端末装置Ｃの構成を示す概略ブロック図である。この図において、基地局装置Ａ、Ｂは、コアネットワーク装置Ｄに接続され、コアネットワーク装置Ｄを介して互いに接続され、データの送受信を行う。また、図２は、基地局装置Ａがメイン基地局装置であり、基地局装置Ｂがサブ基地局装置である場合の図である。
基地局装置Ａは、メイン基地局制御部Ａ１、送信部Ａ２−１〜Ａ２−３、送信アンテナＡ３−１〜Ａ３−３、受信アンテナＡ４−１〜Ａ４−３、及び受信部Ａ５−１〜Ａ５−３を含んで構成される。また、基地局装置Ｂは、サブ基地局制御部Ｂ１、送信部Ｂ２−１〜Ｂ２−３、送信アンテナＢ３−１〜Ｂ３−３、受信アンテナＢ４−１〜Ｂ４−３、及び受信部Ｂ５−１〜Ｂ５−３を含んで構成される。また、端末装置Ｃは、受信アンテナＣ１−１〜Ｃ１−３、受信部Ｃ２−１〜Ｃ２−３、端末制御部Ｃ３、送信部Ｃ４−１〜Ｃ４−３、及び送信アンテナＣ５−１〜Ｃ５−３を含んで構成される。
【００３４】
基地局装置Ａにおいて、メイン基地局制御部Ａ１は、基地局装置Ａの各部を制御する。また、メイン基地局制御部Ａ１は、伝搬品質及びトラフィック量等に基づいて、ＣＣの割り当てを決定する。メイン基地局制御部Ａ１は、決定したダウンリンクでのメインＣＣ及び（基地局装置Ｂが用いるＣＣを含む）サブＣＣを示すＤＬＣＣ割当情報、及び、決定したアップリンクでのＣＣの割り当てを示すＵＬＣＣ割当情報を生成する。図２は、図１の通信システムと同じ例を示し、メインＣＣとしてＤＬ  ＣＣ２が割り当てられ、サブＣＣとしてＤＬＣＣ１、３が割り当てられていることを示す。
【００３５】
メイン基地局制御部Ａ１は、コアネットワーク装置Ｄから入力されたデータ及び生成したデータのうち端末装置Ｃ宛てのデータを、ＤＬＣＣ割当情報に基づいて、送信に用いるＣＣ毎に分割する。メイン基地局制御部Ａ１は、ＣＣ毎に分割したデータの信号を、そのＣＣを用いて信号を送信する送信部Ａ２−１〜Ａ２−３に出力し、また、そのＣＣを用いて信号を送信する基地局装置Ｂに送信する。ここで、メイン基地局制御部Ａ１は、端末装置Ｃとの通信制御に用いる制御情報を生成し、メインＣＣで通信する送信部（図２の例では送信部Ａ２−２）に出力する。この制御情報には、ＤＬＣＣ割当情報、ＵＬＣＣ割当情報、及びハンドオーバ処理を制御する情報が含まれる。また、メイン基地局制御部Ａ１は、生成した制御情報を基地局装置Ｂに送信する。
また、メイン基地局制御部Ａ１は、端末装置Ｃから受信した信号あって受信部Ａ５−１〜Ａ５−３から入力された信号のデータ、及び、基地局装置Ｂから受信したデータを統合する。メイン基地局制御部Ａ１は、統合したデータをコアネットワーク装置Ｄに出力する。
【００３６】
送信部Ａ２−１〜Ａ２−３は、メイン基地局制御部Ａ１から入力された信号を、予め対応付けられたＣＣの無線周波数帯域の信号にアップコンバートし、それぞれ、送信アンテナＡ３−１〜Ａ３−３を介して送信する。
受信部Ａ５−１〜Ａ５−３は、受信アンテナＡ４−１〜Ａ４−３を介して受信した信号を、ベースバンド帯域の信号にダウンコンバートし、ダウンコンバートした信号をメイン基地局制御部Ａ１に出力する。
【００３７】
基地局装置Ｂにおいて、サブ基地局制御部Ｂ１は、基地局装置Ｂの各部を制御する。ここで、サブ基地局制御部Ｂ１は、基地局装置Ａから受信した制御情報に従って、端末装置Ｃとの通信を制御する。また、サブ基地局制御部Ｂ１は、基地局装置Ａから受信した端末装置Ｃ宛てのデータであってＣＣ毎に分割されたデータを、そのＣＣを用いて信号を送信する送信部Ｂ２−１〜Ｂ２−３に出力する。
また、サブ基地局制御部Ｂ１は、端末装置Ｃから受信した信号あって受信部Ｂ５−１〜Ｂ５−３から入力された信号のデータを、基地局装置Ａに送信する。
【００３８】
送信部Ｂ２−１〜Ｂ２−３は、サブ基地局制御部Ｂ１から入力された信号を、予め対応付けられたＣＣの無線周波数帯域の信号にアップコンバートし、それぞれ、送信アンテナＢ３−１〜Ｂ３−３を介して送信する。
受信部Ｂ５−１〜Ｂ５−３は、受信アンテナＢ４−１〜Ｂ４−３を介して受信した信号を、ベースバンド帯域の信号にダウンコンバートし、ダウンコンバートした信号をサブ基地局制御部Ｂ１に出力する。
【００３９】
端末装置Ｃにおいて、受信部Ｃ２−１〜Ｃ２−３は、受信アンテナＣ１−１〜Ｃ１−３を介して受信した信号を、ベースバンド帯域の信号にダウンコンバートする。受信部Ｃ２−１〜Ｃ２−３は、ダウンコンバートした信号を端末制御部Ｃ３に出力する。
【００４０】
端末制御部Ｃ３は、端末装置Ｃの各部を制御する。また、端末制御部Ｃ３は、受信部Ｃ２−１〜Ｃ２−３から入力された信号のデータを統合する。端末制御部Ｃ３は、統合したデータを端末装置Ｃのディスプレイやスピーカ等の出力部（図示せず）に出力する。
端末制御部Ｃ３は、各基地局装置からの受信信号に基づいて伝搬品質を測定し、測定した伝搬品質を示す伝搬品質情報を基地局装置Ａに送信する。また、端末制御部Ｃ３は、端末装置Ｃの操作キーやマイク等の入力部から入力されたデータを、基地局装置Ａから受信したＵＬＣＣ割当情報に基づいて、送信に用いるＣＣ毎に分割する。端末制御部Ｃ３は、ＣＣ毎に分割したデータの信号を、そのＣＣを用いて信号を送信する送信部Ｃ４−１〜Ｃ４−３に出力する。  
送信部Ｃ４−１〜Ｃ４−３は、端末制御部Ｃ３から入力された信号を、予め対応付けられたＣＣの無線周波数帯域の信号にアップコンバートし、それぞれ、送信アンテナＣ５−１〜Ｃ５−３を介して送信する。
【００４１】
＜各制御部の構成について＞
以下、本実施形態では、メイン基地局制御部Ａ１をメイン基地局制御部１ａといい、サブ基地局制御部Ｂ１をサブ基地局制御部１ｂといい、端末制御部Ｃ３を端末制御部１ｃという。
図３は、本実施形態に係るメイン基地局制御部１ａ、サブ基地局制御部１ｂ及び端末制御部１ｃの構成を示す概略ブロック図である。この図は、図２に示したメイン基地局制御部１ａ、サブ基地局制御部１ｂ及び端末制御部１ｃの構成のうち、無線通信に関係する構成を説明するものである。
なお、基地局装置Ａ及びＢは同じ構成を備えるが、図３では、基地局装置Ａがメイン基地局装置として備える制御部の構成をメイン基地局制御部１ａの構成として説明し、また、基地局装置Ｂがサブ基地局装置として備える制御部の構成をサブ基地局制御部１ｂの構成として説明する（図３では、ハッチングをしていない構成について説明する。ハッチングをしている構成については、他方の基地局装置の制御部で説明する）。
【００４２】
メイン基地局制御部１ａは、品質処理部１１ａ、ＣＡ処理部１２ａ、データ通信処理部１３ａを含んで構成される。ここで、品質処理部１１ａは、品質測定部１１１ａ、品質管理部１１２ａを含んで構成される。ＣＡ処理部１２ａは、ＣＡ決定部１２１ａ、ＣＡ記憶部１２２ａ、ハンドオーバ検出部１２３ａ、ハンドオーバ実行部１２４ａ、ＣＡセット通知部１２５ａを含んで構成される。データ通信処理部１３ａは、ペイロード送受信処理部１３１ａ、データ分配／結合部１３２ａ、データ送受信処理部１３３ａ、及び無線処理部１３４ａを含んで構成される。
サブ基地局制御部１ｂは、品質処理部１１ｂ、ＣＡ処理部１２ｂ、データ通信処理部１３ｂを含んで構成される。ここで、品質処理部１１ｂは、品質測定部１１１ｂ、品質通知部１１３ｂを含んで構成される。ＣＡ処理部１２ｂは、ＣＡ記憶部１２２ｂ、ＣＡセット取得部１２６ｂを含んで構成される。データ通信処理部１３ｂは、データ送受信処理部１３３ｂ、及び無線処理部１３４ｂを含んで構成される。
端末制御部１ｃは、品質処理部１１ｃ、ＣＡ処理部１２ｃ、データ通信処理部１３ｃを含んで構成される。ここで、品質処理部１１ｃは、品質測定部１１１ｃ、品質通知部１１２ｃを含んで構成される。ＣＡ処理部１２ｃは、ＣＡ記憶部１２１ｃ、ＣＡセット通知部１２２ｃを含んで構成される。データ通信処理部１３ｃは、無線処理部１３１ｃを含んで構成される。
【００４３】
メイン基地局制御部１ａにおいて、品質測定部１１１ａは、端末装置Ｃから基地局装置Ａへのアップリンクの通信について、サブキャリア毎の伝搬品質を測定する。また、品質測定部１１１ａは、基地局装置Ａでの通信のトラフィック量を測定する。品質測定部１１１ａは、測定した伝搬品質を示すメインＵＬ伝搬品質情報、及び、測定したトラフィック量を示すメイントラフィック情報を品質管理部１１２ａに出力する。
【００４４】
品質管理部１１２ａは、品質測定部１１１ａから入力されたメインＵＬ伝搬品質情報、及びメイントラフィック情報を記憶部（図示せず）に記憶する。また、品質管理部１１２ａは、端末装置Ｃから基地局装置Ｂへのアップリンクの通信での伝搬路品質を示すサブＵＬ伝搬路品質情報、及び、基地局装置Ｂでの通信のトラフィック量を示すサブトラフィック情報を、基地局装置Ｂの品質通知部１１３ｂから受信し、記憶部に記憶する。また、品質管理部１１２ａは、基地局装置各々から端末装置Ｃへのダウンリンクの通信での伝搬路品質を示すＤＬ伝搬路品質情報を、端末装置Ｃから受信し、記憶部に記憶する。
品質管理部１１２ａは、記憶部からメインＵＬ伝搬品質情報、メイントラフィック情報、サブＵＬ伝搬路品質情報、サブトラフィック情報、及び、ＤＬ伝搬路品質情報を読み出して、ＣＡ決定部１２１ａ及びハンドオーバ検出部１２３ａに出力する。
【００４５】
ＣＡ決定部１２１ａは、コアネットワーク装置Ｄから受信するデータ量情報、基地局装置が通信に用いる無線リソース情報、端末装置Ｃの通信能力情報を取得する。ＣＡ決定部１２１ａは、取得した情報、及び、品質管理部１１２ａから入力された情報に基づいて、ＣＡ技術の通信を行うか否かを判定し、また、ＣＣの割り当てを行う。
【００４６】
具体的には、ＣＡ決定部１２１ａは、データ量情報が示すデータが多い場合、通信能力情報がＣＡ技術の通信が可能であることを示す場合、ＤＬ伝搬路品質情報が示す伝搬品質が予め定めた閾値より大きい場合（伝搬品質が高いＣＣがある場合）、にＣＡ技術の通信を行うと判定する。なお、ＣＣの伝搬品質は、ＣＣに含まれるサブキャリアの伝搬品質を平均したものである。
また、ＣＡ技術の通信を行うと判定した場合、ＣＡ決定部１２１ａは、ＤＬ伝搬路品質情報が示す伝搬品質が最も高いＣＣをメインＣＣとして選択する。ここで、メイントラフィック情報又はサブトラフィック情報が示すＣＣ毎のトラフィック量が予め定めた閾値より多い場合、トラフィック量が少ない基地局装置が通信に用いるＣＣであって、伝搬品質が最も高いＣＣをメインＣＣとして選択する。
【００４７】
ＣＡ決定部１２１ａは、データ量情報が示すデータに基づいて選択するＣＣの数を決定する。ＣＡ決定部１２１ａは、ＤＬ伝搬路品質情報が示す伝搬品質が高い順に、決定したＣＣの数だけ、サブＣＣを選択する。ここで、ＣＡ決定部１２１ａは、無線リソース情報、メイントラフィック情報及びサブトラフィック情報に基づいて、無線リソースに対して通信トラフィック量が予め定めた閾値を超えて多くならないように、サブＣＣを選択する（ＣＡセット選択処理という）。
このＣＡセット選択処理によって、ＣＡ決定部１２１ａは、ダウンリンクの通信についてＣＣの割り当てを決定する。また、ＣＡ決定部１２１ａは、ＤＬ伝搬路品質情報に代えてメインＵＬ伝搬路品質情報及びサブＵＬ伝搬路品質情報を用いて、ＣＡセット選択処理を行うことにより、アップリンクの通信についてのＣＣの割り当てを決定する。ＣＡ決定部１２１ａは、決定したＣＣの割り当てを示すＤＬＣＣ割当情報及びＵＬＣＣ割当情報を生成し、ＣＡ記憶部１２２ａに記憶する。
【００４８】
ハンドオーバ検出部１２３ａは、品質管理部１１２ａから入力された伝搬路品質情報から、ＣＡ記憶部１２２ａが記憶するＤＬＣＣ割当情報のＣＣの伝搬路品質情報を選択し、選択した伝搬路品質情報と他のＣＣの伝搬路品質情報とを比較する。ハンドオーバ検出部１２３ａは、他のＣＣの伝搬路品質情報が示す伝搬品質が高いと判定した場合、端末装置Ｃをハンドオーバさせると判定する。ここで、ハンドオーバ実行部１２４ａは、他のＣＣについて、メイントラフィック情報又はサブトラフィック情報が示すトラフィック量が予め定めた閾値より多い場合には、ハンドオーバさせないと判定してもよい。
また、ハンドオーバ検出部１２３ａは、選択した伝搬路品質情報に基づいて、サブＣＣの伝搬品質がメインＣＣの伝搬品質より高いと判定した場合、端末装置Ｃをハンドオーバさせると判定する。
ハンドオーバ実行部１２４ａは、ハンドオーバ検出部１２３ａがハンドオーバさせると判定した場合、ＣＡ決定部１２１ａと同じＣＡセット選択処理を行って、ダウンリンクの通信についてＣＣの割り当てを決定する。
【００４９】
ＣＡセット通知部１２５ａは、ＣＡ記憶部が記憶するＤＬＣＣ割当情報及びＵＬＣＣ割当情報が更新された場合、更新後のＤＬＣＣ割当情報及びＵＬＣＣ割当情報を、サブ基地局制御部１ｂ及び端末制御部１ｃに通知する（ＣＡセット通知という）。
【００５０】
ペイロード送受信処理部１３１ａは、データ分配／結合部１３２ａから入力されたデータをコアネットワーク装置Ｄに送信する。また、ペイロード送受信処理部１３１ａは、コアネットワーク装置Ｄから受信したデータをデータ分配／結合部１３２ａに出力する。
【００５１】
データ分配／結合部１３２ａは、ペイロード送受信処理部１３１ａから入力されたデータを、ＣＡ記憶部１２２ａが記憶するＤＬＣＣ割当情報が示すＣＣ毎のデータに分割する。なお、分割されたデータには、データ制御情報として、データの順序を示すデータ順序情報が含まれている。データ分配／結合部１３２ａは、分割したＣＣ毎のデータのうち基地局装置ＡのＣＣで送信するデータをデータ送受信処理部１３３ａに出力する。また、データ分配／結合部１３２ａは、分割したＣＣ毎のデータのうち基地局装置ＢのＣＣで送信するデータを基地局装置Ｂへ送信する。
また、データ分配／結合部１３２ａは、データ送受信処理部１３３ａから入力されたＣＣ毎のデータ及び基地局装置Ｂから受信したＣＣ毎のデータを、データ制御情報が示すデータの順序に従って統合する。データ分配／結合部１３２ａは、統合したデータをペイロード送受信処理部１３１ａに出力する。
【００５２】
データ送受信処理部１３３ａは、データ分配／結合部１３２ａから入力されたＣＣ毎のデータ各々を無線処理部１３４ａに出力する。
また、データ送受信処理部１３３ａは、無線処理部１３４ａから入力されたＣＣ毎のデータをデータ分配／結合部１３２ａに出力する。
【００５３】
無線処理部１３４ａは、データ送受信処理部１３３ａから入力されたＣＣ毎のデータ各々を符号化して変調し、変調した信号を各ＣＣの周波数帯域にマッピングする。無線処理部１３４ａは、各ＣＣにマッピングした信号を、それぞれ、図２の送信部Ａ２−１〜Ａ２−３に出力する。
また、無線処理部１３４ａは、受信部Ａ５−１〜Ａ５−３から入力された信号をデマッピングし、デマッピングした信号を復調する。無線処理部１３４ａは、復調したデータを復号化し、データ送受信処理部１３３ａに出力する。
【００５４】
サブ基地局制御部１ｂにおいて、品質測定部１１１ｂは、端末装置Ｃから基地局装置Ｂへのアップリンクの通信について、サブキャリア毎の伝搬品質を測定する。また、品質測定部１１１ｂは、基地局装置Ｂでの通信のトラフィック量を測定する。品質測定部１１１ｂは、測定した伝搬品質を示すサブＵＬ伝搬品質情報、及び、測定したトラフィック量を示すサブトラフィック情報を品質通知部１１３ｂに出力する。
品質通知部１１３ｂは、品質測定部１１１ｂから入力されたサブＵＬ伝搬品質情報及びトラフィック量を基地局装置Ａに通知する。
【００５５】
ＣＡセット取得部１２６ｂは、基地局装置Ａから受信したＤＬＣＣ割当情報及びＵＬＣＣ割当情報を、ＣＡ記憶部１２２ｂに記憶する。
データ送受信処理部１３３ｂは、基地局装置ＡからＣＣ毎のデータを受信し、受信したＣＣ毎のデータ各々を無線処理部１３４ｂに出力する。
また、データ送受信処理部１３３ｂは、無線処理部１３４ｂから入力されたＣＣ毎のデータを基地局装置Ａへ送信する。
【００５６】
無線処理部１３４ｂは、データ送受信処理部１３３ｂから入力されたＣＣ毎のデータ各々を符号化して変調し、変調した信号を各ＣＣの周波数帯域にマッピングする。無線処理部１３４ｂは、各ＣＣにマッピングした信号を、それぞれ、図２の送信部Ｂ２−１〜Ｂ２−３に出力する。
また、無線処理部１３４ｂは、受信部Ｂ５−１〜Ｂ５−３から入力された信号をデマッピングし、デマッピングした信号を復調する。無線処理部１３４ｂは、復調したデータを復号化し、データ送受信処理部１３３ｂに出力する。
【００５７】
端末制御部１ｃにおいて、品質測定部１１１ｃは、基地局装置各々から端末装置Ｃへのダウンリンクの通信について、サブキャリア毎の伝搬品質を測定する。品質測定部１１１ｃは、測定した伝搬品質を示すＤＬ伝搬品質情報を品質通知部１１２ｃに出力する。
品質通知部１１２ｃは、品質測定部１１１ｃから入力されたＤＬ伝搬品質情報を基地局装置Ａに通知する。
ＣＡセット取得部１２２ｃは、基地局装置Ａから受信したＤＬＣＣ割当情報及びＵＬＣＣ割当情報を、ＣＡ記憶部１２１ｃに記憶する。
【００５８】
無線処理部１３１ｃは、入力部から入力されたデータを、ＣＡ記憶部１２１ｃが記憶するＵＬＣＣ割当情報が示すＣＣ毎のデータに分割する。なお、分割されたデータには、データ制御情報として、データの順序を示すデータ順序情報が含まれている。無線処理部１３１ｃは、分割したＣＣ毎のデータを符号化して変調し、変調した信号を、各ＣＣの周波数帯域にマッピングする。無線処理部１３１ｃは、各ＣＣにマッピングした信号を、それぞれ、図２の送信部Ｃ４−１〜Ｃ４−３に出力する。
また、無線処理部１３１ｃは、受信部Ｃ２−１〜Ｃ２−３から入力された信号をデマッピングし、デマッピングした信号を復調する。無線処理部１３１ｃは、復調したデータを復号化する。無線処理部１３１ｃは、復号化したＣＣ毎のデータを、データ制御情報が示すデータの順序に従って統合し、出力部（図示せず）に出力する。
【００５９】
図４は、本実施形態に係る基地局装置Ａ及びＢが記憶するＤＬＣＣ割当情報の一例を示す概略図である。なお、このＤＬＣＣ割当情報は、ＣＡ記憶部１２２ａ及びＣＡ記憶部１２２ｂに記憶される。図示するようにＤＬＣＣ割当情報は、端末装置を識別する端末識別番号、基地局装置を識別する基地局識別番号、メイン基地局装置であるかサブ基地局装置であるかを示す基地局種別、ダウンリンクのＣＣを識別するＤＬ  ＣＣ識別番号、及び、メインＣＣであるかサブＣＣであるかを示すＣＣ種別の各項目を有している。
例えば、図４の１番目のＤＬＣＣ割当情報は、基地局識別番号が「Ａ」を示す基地局装置Ａから端末識別番号「Ｃ」を示す端末装置Ｃへのダウンリンクの通信に用いられるＣＣの情報であることを示し、また、基地局装置「Ａ」が「メイン」基地局装置であることを示す。また、このＤＬＣＣ割当情報は、ＣＣ１が「サブ」ＣＣであることを示す。
【００６０】
また、図４は、基地局装置Ａが「ＣＣ１」及び「ＣＣ２」を用いて端末装置Ｃと通信すること、及び、基地局装置Ｂが「ＣＣ３」を用いて端末装置Ｃと通信することを示す。また、図４は、「ＣＣ２」が「メイン」ＣＣであることを示し、このＣＣ２を用いる基地局装置「Ａ」が「メイン」基地局装置であることを示す。また、図４は、「サブ」ＣＣのみを用いる基地局装置「Ｂ」が「サブ」基地局装置であることを示す。
なお、メインＣＣ及びサブＣＣの割り当ては端末装置毎に異なるので、基地局装置Ａ及びＢのどちらがメイン基地局装置となるかは、端末装置毎に異なる。例えば、図示はしていないが、端末装置Ｃ以外の端末装置では、基地局装置Ａがサブ基地局装置となる場合もある。
【００６１】
図５は、本実施形態に係る端末装置Ｃが記憶するＤＬＣＣ割当情報の一例を示す概略図である。なお、このＤＬＣＣ割当情報は、ＣＡ記憶部１２１ｃに記憶される。図示するようにＤＬＣＣ割当情報は、基地局識別番号、基地局種別、ＤＬ  ＣＣ識別番号、ＣＣ種別、及び、分割情報の各項目を有している。
図５のＤＬＣＣ割当情報は、図４のＤＬＣＣ割当情報から端末識別番号の項目の情報を除いたものである。
【００６２】
以下、メイン基地局制御部１ａが行う処理について説明をする。
図６は、本実施形態に係るメイン基地局制御部１ａの動作の一例を示すシーケンス図である。また、この図は、端末装置Ｃの電源を入れた後、基地局装置に接続して、待ち受け状態となる場合、又は、基地局装置と通信中の場合の図である。
【００６３】
（ステップｓ１）メイン基地局制御部１ａは、ＤＬ伝搬路品質情報を取得する。つまり、基地局装置各々から端末装置Ｃへのダウンリンクの通信での伝搬路品質（品質レベル）を取得する。その後、ステップｓ２に進む。
（ステップｓ２）メイン基地局制御部１ａは、端末装置Ｃと通信中であるか否かを判定する。端末装置Ｃと通信中でないと判定した場合（ｎｏ；待ち受け状態）、ステップｓ３に進む。一方、端末装置Ｃと通信中であると判定した場合（ｙｅｓ；通信中）、ステップｓ４に進む。
（ステップｓ３）メイン基地局制御部１ａは、ＣＡ決定処理を行う。このＣＡ決定処理の詳細については後述する。その後、動作を終了する。
（ステップｓ４）メイン基地局制御部１ａは、ハンドオーバ処理を行う。このハンドオーバ決定処理の詳細については後述する。その後、動作を終了する。
【００６４】
図７は、本実施形態に係るＣＡ決定処理の一例を示すシーケンス図である。つまり、この図は、図６のステップｓ３の処理の一例を示す図である。
（ステップｓ３０１）ＣＡ処理部１２ａは、端末装置Ｃが待ち受けを行っているＣＣをメインＣＣ（図７では、基地局装置ＡのＣＣ２とする）として選択する。その後、ステップｓ３０２に進む。
（ステップｓ３０２）ＣＡ処理部１２ａは、端末装置Ｃに送信するデータ量Ｄ０を取得する。その後、ステップｓ３０３に進む。
（ステップｓ３０３）ＣＡ処理部１２ａは、ステップｓ３０２で取得したデータ量Ｄ０が予め記憶する閾値Ｄｔｈより大きいか否かを判定する。データ量Ｄ０が閾値Ｄｔｈより大きいと判定した場合（ｙｅｓ）、ステップｓ３０４に進む。一方、データ量Ｄ０が閾値Ｄｔｈ以下であると判定した場合（ｎｏ）、ステップｓ３０６に進む。
【００６５】
（ステップｓ３０４）ＣＡ処理部１２ａは、ＤＬ伝搬路品質情報が示す伝搬品質が高い順にサブＣＣの候補として選択する。ただし、ＣＡ処理部１２ａは、ＤＬ  ＣＣ識別番号が全て異なるＣＣを選択する。なお、図７では、４個のＣＣをサブＣＣの候補として選択する場合について説明をする。なお、図７では、最大のＣＣ数を「５」とし、４個のサブＣＣの候補を選択する場合について説明するが、本発明はこれに限らず、４個以下であってもよいし、６個以上であってもよい。
【００６６】
図８は、本実施形態に係るＤＬ伝搬路品質情報の一例を示す概略図である。この図において、ＤＬ伝搬路品質情報は、基地局識別番号及びＤＬ  ＣＣ識別番号毎に、品質レベルが格納されていることを示す。また、品質レベル情報は、値が大きいほど品質が高いことを表す。
図８は、例えば、基地局装置ＡのＣＣ１の品質レベルが「１０」であり、基地局装置ＢのＣＣ２の品質レベルが「６」であることを示す。
【００６７】
図７に戻って、具体的に、ＣＡ処理部１２ａは、メインＣＣである基地局装置ＡのＣＣ２以外のＣＣから、サブＣＣの候補を選択する。例えば、図８に示すＤＬ伝搬路品質情報の場合、ＣＡ処理部１２ａは、基地局装置ＡのＣＣ１、ＣＣ６、基地局装置ＢのＣＣ３、ＣＣ４をサブＣＣの候補として選択する。その後、ステップｓ３０５に進む。
（ステップｓ３０５）ＣＡ処理部１２ａは、ステップｓ３０４で選択した４個のサブＣＣの候補から、品質レベルが予め定めた閾値Ｌｔｈ以上のＣＣをサブＣＣとして選択する。例えば、Ｌｔｈ＝５である場合、ＣＡ処理部１２ａは、サブＣＣとして、基地局装置ＡのＣＣ１、ＣＣ６、基地局装置ＢのＣＣ３を選択する。その後、ステップｓ３０６に進む。
（ステップｓ３０６）ＣＡ処理部１２ａは、ＣＡ処理部１２ａが選択したメインＣＣ及びサブＣＣの情報を示すＣＡセットリストを生成する。その後、ステップｓ３０７に進む。
【００６８】
（ステップｓ３０７）ＣＡ処理部１２ａは、ＣＡセットリストのＣＣに他の基地局装置が用いるＣＣがあるか否かを判定する。他の基地局装置が用いるＣＣがない、つまり、自装置が用いるＣＣのみであると判定した場合（ｎｏ）、ステップｓ３０９に進む。一方、他の基地局装置が用いるＣＣがあると判定した場合（ｙｅｓ）、ステップｓ３０８に進む。
（ステップｓ３０８）ＣＡ処理部１２ａ（ＣＡセット通知部１２５ａ）は、ステップｓ３０６で生成したＣＡセットリストを、ＣＡセットリストのＣＣを用いる他の基地局装置に通知する（ＣＡセット通知）。その後、ステップｓ３０９に進む。
（ステップｓ３０９）ＣＡ処理部１２ａは、ステップｓ３０６で生成したＣＡセットリストを、端末装置Ｃに通知する。その後、ステップｓ３１０に進む。
（ステップｓ３１０）ＣＡ処理部１２ａは、ステップｓ３０６で生成したＣＡセットリストをＣＡ記憶部１２２ａに記憶する。その後、ステップｓ３１１に進む。
【００６９】
（ステップｓ３１１）データ通信処理部１３ａは、コアネットワーク装置Ｄに対して端末装置Ｃ宛のデータを要求する。データ通信処理部１３ａは、要求したデータを受信して分割する。その後、ステップｓ３１２に進む。
（ステップｓ３１２）データ通信処理部１３ａは、ｓ３０７と同じ判定を行う。他の基地局装置が用いるＣＣがないと判定した場合（ｎｏ）、ステップｓ３１４に進む。一方、他の基地局装置が用いるＣＣがあると判定した場合、ステップｓ３１３に進む。
（ステップｓ３１３）データ通信処理部１３ａは、ステップｓ３１１で分割したデータのうち他の基地局装置のＣＣを用いて送信するデータを、そのＣＡセットリストのＣＣを用いる他の基地局装置に送信する。その後、ステップｓ３１４に進む。
（ステップｓ３１４）データ通信処理部１３ａは、ステップｓ３１１で分割したデータのうち自装置のＣＣを用いて送信するデータを、そのＣＣを用いて送信する。その後、動作を終了する。
【００７０】
図９は、本実施形態に係るハンドオーバ処理の一例を示すシーケンス図である。つまり、この図は、図６のステップｓ４の処理の一例を示す図である。
（ステップｓ４０１）ＣＡ処理部１２ａは、伝搬路品質情報に基づいて、ＣＣの追加削除が必要かどうかを判定する。ＣＣの追加削除が必要でないと判定した場合（ｎｏ）、ステップｓ４０２に進む。一方、ＣＣの追加削除が必要であると判定した場合（ｙｅｓ）、図７と同様の処理を行う。
（ステップｓ４０２）ＣＡ処理部１２ａは、Ｎ０にＣＡセットリストのＣＣ数を代入し、基地局識別番号ｉに０を代入する。その後、ステップｓ４０３に進む。
【００７１】
（ステップｓ４０３）ＣＡ処理部１２ａは、ｉがＮ０より小さいか否かを判定する。ｉがＮ０より小さいと判定した場合（ｙｅｓ）、ステップｓ４０４に進む。一方、ｉがＮ０以上であると判定した場合（ｎｏ）、ステップｓ４０７に進む。
（ステップｓ４０４）ＣＡ処理部１２ａは、自装置のＣＣｉの品質レベルが、他の基地局装置のＣＣｉの品質レベルの最大値より大きいか否かを判定する。他の基地局装置のＣＣｉの品質レベルの最大値より大きいと判定した場合（ｙｅｓ）、ステップｓ４０６に進む。一方、他の基地局装置のＣＣｉの品質レベルの最大値以下であると判定した場合（ｎｏ）、ステップｓ４０５に進む。
（ステップｓ４０５）ＣＡ処理部１２ａは、ＣＣｉのハンドオーバを検出する。その後、ステップｓ４０６に進む。ただし、単純に品質レベルが最大値となるＣＣを用いる基地局装置にハンドオーバさせると、例えば基地局装置のＣＣの品質レベルがほぼ同等の場合に頻繁にハンドオーバする場合が生じてしまう。これを防止するために、例えば、ある一定期間中においてＣＣの品質レベルが最大値となる回数が基準回数を超える場合にハンドオーバさせると判定するような平均化処理を適用して最大値と判断するのが好ましい。
（ステップｓ４０６）ＣＡ処理部１２ａは、ｉにｉ＋１を代入する。その後、ステップｓ４０３に進む。
【００７２】
（ステップｓ４０７）ＣＡ処理部１２ａは、メインＣＣの品質レベルがサブＣＣの品質レベルの最大値より大きいか否かを判定する。サブＣＣの品質レベルの最大値より大きいと判定した場合（ｙｅｓ）、ステップｓ４０９に進む。一方、サブＣＣの品質レベルの最大値以下であると判定した場合（ｎｏ）、ステップｓ４０８に進む。
（ステップｓ４０８）ＣＡ処理部１２ａは、メインＣＣを、品質レベルの最大値となるサブＣＣに変更する。つまり、ＣＡ処理部１２ａは、ＣＡセットリストでのメインＣＣを示す情報を変更する。その後、ステップｓ４０９に進む。なお、ステップｓ４０７、４０８でも平均化処理を適用してもよい。
（ステップｓ４０９）ＣＡ処理部１２ａは、ステップｓ４０５でハンドオーバを検出されたＣＣがあるか否かを判定する。ハンドオーバを検出されたＣＣがあると判定した場合（ｙｅｓ）、ステップｓ４１０に進む。一方、ハンドオーバを検出されたＣＣがないと判定した場合（ｎｏ）、ステップｓ４２１に進む。
【００７３】
（ステップｓ４１０）ＣＡ処理部１２ａは、ＣＡセットリストのＣＣｉを、ステップｓ４０５でハンドオーバを検出されたＣＣｉに変更する。その後、ステップｓ４１１に進む。
（ステップｓ４１１）ＣＡ処理部１２ａは、ステップｓ４０８又はステップｓ４１０で変更したＣＡセットリストを他の基地局装置に通知する（ＣＡセット通知）。ここで通知する他の基地局装置には、ステップｓ４１０で変更後のＣＣｉを用いる基地局装置と、変更前のＣＣｉを用いる基地局装置と、が含まれる。その後、ステップｓ４１２に進む。
（ステップｓ４１２）ＣＡ処理部１２ａは、ステップｓ４０８又はステップｓ４１０で変更したＣＡセットリストを端末装置Ｃに通知する。その後、ステップｓ４１３に進む。
（ステップｓ４１３）ＣＡ処理部１２ａは、ＣＡセットリストのＣＣに自装置が用いるＣＣがあるか否かを判定する。自装置が用いるＣＣがあると判定した場合（ｙｅｓ）、ステップｓ４１４に進む。一方、自装置が用いるＣＣがないと判定した場合（ｎｏ）、ステップｓ４２０に進む。
（ステップｓ４１４）ＣＡ処理部１２ａは、ステップｓ４０８又はステップｓ４１０で変更したＣＡセットリストをＣＡ記憶部１２２ａに記憶する。その後、ステップｓ４１５に進む。
【００７４】
（ステップｓ４１５）データ通信処理部１３ａは、自装置の用いるＣＣにメインＣＣがあるか否かを判定する。メインＣＣがあると判定した場合（ｙｅｓ）、ステップｓ４１６に進む。一方、メインＣＣがないと判定した場合（ｎｏ）、ステップｓ４１８に進む。
（ステップｓ４１６）データ通信処理部１３ａは、コアネットワーク装置Ｄから取得して分割したデータのうち他の基地局装置のＣＣを用いて送信するデータを、そのＣＡセットリストのＣＣを用いる他の基地局装置に送信する。その後、ステップｓ４１７に進む。
（ステップｓ４１７）データ通信処理部１３ａは、ＣＡセットリストのＣＣを用いてデータを端末装置Ｃに送信する。その後、動作を終了する。
（ステップｓ４１８）データ通信処理部１３ａは、メインＣＣを用いる他の基地局装置からデータを取得する。その後、ステップｓ４１９に進む。
（ステップｓ４１９）データ通信処理部１３ａは、ＣＡセットリストのＣＣを用いてデータを端末装置Ｃに送信する。その後、動作を終了する。
【００７５】
（ステップｓ４２０）ＣＡ処理部１２ａは、ＣＡセットリストを削除する。その後、動作を終了する。
（ステップｓ４２１）ＣＡ処理部１２ａは、ステップｓ４０８でメインＣＣを変更したか否かを判定する。メインＣＣを変更したと判定した場合（ｙｅｓ）、ステップｓ４２２に進む。一方、メインＣＣを変更してないと判定した場合（ｎｏ）、動作を終了する。
（ステップｓ４２２）ＣＡ処理部１２ａは、ステップｓ４０８又はステップｓ４１０で変更したＣＡセットリストをＣＡ記憶部１２２ａに記憶する。その後、ステップｓ４２３に進む。
【００７６】
（ステップｓ４２３）ＣＡ処理部１２ａは、ステップｓ４０８又はステップｓ４２２で変更したＣＡセットリストを他の基地局装置に通知する（ＣＡセット通知）。その後、ステップｓ４２４に進む。
（ステップｓ４２４）ＣＡ処理部１２ａは、ステップｓ４０８又はステップｓ４２２で変更したＣＡセットリストを端末装置Ｃに通知する。その後、ステップｓ４２５に進む。
（ステップｓ４２５）ＣＡ処理部１２ａは、ステップｓ４０８又はステップｓ４２２で変更したＣＡセットリストをＣＡ記憶部１２２ａに記憶する。その後、ステップｓ４２６に進む。
【００７７】
（ステップｓ４２６）データ通信処理部１３ａは、自装置の用いるＣＣにメインＣＣがあるか否かを判定する。メインＣＣがあると判定した場合（ｙｅｓ）、ステップｓ４２７に進む。一方、メインＣＣがないと判定した場合（ｎｏ）、ステップｓ４２９に進む。なお、この場合（ｎｏの場合）、データ通信処理部１３ａはデータ通信処理部１３ｂとなる。
（ステップｓ４２７）データ通信処理部１３ａは、コアネットワーク装置Ｄから取得して分割したデータのうち他の基地局装置のＣＣを用いて送信するデータを、そのＣＡセットリストのＣＣを用いる他の基地局装置に送信する。その後、ステップｓ４２８に進む。
（ステップｓ４２８）データ通信処理部１３ａは、ＣＡセットリストのＣＣを用いてデータを端末装置Ｃに送信する。その後、動作を終了する。
（ステップｓ４２９）データ通信処理部１３ｂは、メインＣＣを用いる他の基地局装置からデータを取得する。その後、ステップｓ４３０に進む。
（ステップｓ４３０）データ通信処理部１３ｂは、ＣＡセットリストのＣＣを用いてデータを端末装置Ｃに送信する。その後、動作を終了する。
【００７８】
図１０は、サブ基地局制御部１ｂが行う処理の一例を示す概略図である。
（ステップｓ５０１）ＣＡ処理部１２ｂは、ＣＡセット通知からＣＡセットリストを取得する。その後、ステップｓ５０２に進む。
（ステップｓ５０２）ＣＡ処理部１２ｂは、ＣＡセットリストのＣＣに自装置の用いるＣＣがあるか否かを判定する。自装置の用いるＣＣがあると判定した場合（ｙｅｓ）、ステップｓ５０３に進む。一方、自装置の用いるＣＣがないと判定した場合（ｎｏ）、ステップｓ５０４に進む。
（ステップｓ５０３）ＣＡ処理部１２ｂは、ステップｓ５０１で取得したＣＡセットリストをＣＡ記憶部１２２ｂに記憶する。その後、ステップｓ５０５に進む。
（ステップｓ５０４）ＣＡ処理部１２ｂは、ＣＡセットリストを削除する。その後、動作を終了する。
【００７９】
（ステップｓ５０５）データ通信処理部１３ｂは、自装置の用いるＣＣにメインＣＣがあるか否かを判定する。メインＣＣがないと判定した場合（ｎｏ）、ステップｓ５０６に進む。一方、メインＣＣがあると判定した場合（ｙｅｓ）、ステップｓ５０８に進む。なお、この場合（ｙｅｓの場合）、データ通信処理部１３ｂはデータ通信処理部１３ａとなる。
（ステップｓ５０６）データ通信処理部１３ｂは、メインＣＣを用いる他の基地局装置からデータを取得する。その後、ステップｓ５０７に進む。
（ステップｓ５０７）データ通信処理部１３ｂは、ＣＡセットリストのＣＣを用いてデータを端末装置Ｃに送信する。その後、動作を終了する。
【００８０】
（ステップｓ５０８）データ通信処理部１３ａは、コアネットワーク装置Ｄに対して端末装置Ｃ宛のデータを要求する。データ通信処理部１３ａは、要求したデータを受信して分割する。その後、ステップｓ５０９に進む。
（ステップｓ５０９）データ通信処理部１３ａは、ステップｓ５０３で記憶したＣＡセットリストのＣＣに他の基地局装置が用いるＣＣがあるか否かを判定する。他の基地局装置が用いるＣＣがないと判定した場合（ｎｏ）、ステップｓ５１０に進む。一方、他の基地局装置が用いるＣＣがあると判定した場合、ステップｓ５１１に進む。
（ステップｓ５１０）データ通信処理部１３ａは、ステップｓ５０８で分割したデータのうち他の基地局装置のＣＣを用いて送信するデータを、そのＣＡセットリストのＣＣを用いる他の基地局装置に送信する。その後、ステップｓ５１１に進む。
（ステップｓ５１１）データ通信処理部１３ａは、ステップｓ５０８で分割したデータのうち自装置のＣＣを用いて送信するデータを、そのＣＣを用いて送信する。その後、動作を終了する。
【００８１】
＜サブＣＣのハンドオーバ処理について＞
以下、ハンドオーバ処理について詳細を説明する。まず、基地局装置Ａ及びＢ間でサブＣＣを切り替える（サブＣＣのハンドオーバという）場合について説明をする。
図１１は、本実施形態に係るサブＣＣのハンドオーバ処理の一例を示す概略図である。この図において、左図（６ａ）はハンドオーバ前の通信システムの状態を示し、右図（６ｂ）はハンドオーバ後の通信システムの状態を示す。
【００８２】
左図（６ａ）は、ハンドオーバ前において、端末装置Ｃが基地局装置ＡからＣＣ１、２を用いてダウンリンクの通信を行うことを示す。また、左図（６ａ）は、端末装置Ｃが基地局装置ＢからＣＣ３を用いてダウンリンクの通信を行うことを示す。ここで、ＣＣ１はメインＣＣであり、ＣＣ２、３はサブＣＣである。
また、左図（６ａ）は、コアネットワーク装置Ｄからメイン基地局装置である基地局装置Ａにデータが送信され、基地局装置Ａがデータを分割することを示す。また、左図（６ａ）は、分割したデータのうちＣＣ２、３に配置する信号のデータを、基地局装置Ａがサブ基地局装置である基地局装置Ｂに送信することを示す。
【００８３】
右図（６ｂ）は、ハンドオーバ後において、端末装置Ｃが基地局装置ＡからＣＣ１を用いてダウンリンクの通信を行うことを示す。また、右図（６ｂ）は、端末装置Ｃが基地局装置ＢからＣＣ２、３を用いてダウンリンクの通信を行うことを示す。ここで、ＣＣ１はメインＣＣであり、ＣＣ２、３はサブＣＣである。
また、右図（６ｂ）は、コアネットワーク装置Ｄからメイン基地局装置である基地局装置Ａにデータが送信され、基地局装置Ａがデータを分割することを示す。また、右図（６ｂ）は、分割したデータのうちＣＣ３に配置する信号のデータを、基地局装置Ａがサブ基地局装置である基地局装置Ｂに送信することを示す。
【００８４】
図１２は、本実施形態に係る通信システムの動作の一例を示すシーケンス図である。この図は、端末装置Ｃが基地局装置Ａ及びＢと接続（ハンドオーバを含む）して通信を行う場合の動作を示す図である。また、この図は、図１１で示すサブＣＣのハンドオーバ処理を行う場合についての通信システムの動作を示す図である。
【００８５】
（ステップＳ１０１）端末装置Ｃは、例えば電源を入れた後、セルサーチを行って基地局装置Ａに接続する。ここで、端末装置Ｃが接続に用いるＣＣは１つである（図１２の例ではＣＣ１）。端末装置Ｃは、基地局装置Ａを位置登録先の基地局装置として位置登録を行い、その後、ＣＣ１を用いて通信の待ち受け状態となる。なお、既にＣＡセット選択処理が行われている場合は、端末装置Ｃは、メインＣＣ（図１２の例ではＣＣ１）を用いて通信の待ち受け状態となる。
また、端末装置Ｃは、ＣＣ１を用いて定期的にＤＬ伝搬品質情報を基地局装置Ａに送信する。その後、ステップＳ１０２に進む。
（ステップＳ１０２）端末装置Ｃでは、パケット通信要求が発生する。その後、ステップＳ１０３に進む。
（ステップＳ１０３）端末装置Ｃにおいて、無線処理部１３１ｃは、パケット接続要求を送信する。その後、ステップＳ１０４に進む。
（ステップＳ１０４）基地局装置Ａは、ステップＳ１０３のパケット接続要求に対する応答であるパケット接続応答を、端末装置Ｃへ送信する。なお、このパケット接続応答は、メインＣＣであるＣＣ１を用いて送信される。その後、ステップＳ１０５に進む。
（ステップＳ１０５）端末装置Ｃは、伝搬品質を測定し、測定した伝搬品質を示す伝搬品質情報を基地局装置Ａに送信する。その後、ステップＳ１０６に進む。
【００８６】
（ステップＳ１０６）基地局装置Ａは、ＣＡ技術の通信を行うか否かを判定する。図１２の一例は、ＣＡ技術の通信を行うと判定した例である。基地局装置Ａは、ＣＡセット選択処理を行い、ＤＬＣＣ割当情報及びＵＬＣＣ割当情報を生成する。このＤＬＣＣ割当情報は、基地局装置ＡがＣＣ１（メインＣＣ）及びＣＣ２（サブＣＣ）を用いて端末装置Ｃと通信すること、及び、基地局装置ＢがＣＣ３（サブＣＣ）を用いて端末装置Ｃと通信することを示す情報である（図（６ａ）参照）。その後、ステップＳ１０７に進む。
【００８７】
（ステップＳ１０７）基地局装置Ａは、生成したＤＬＣＣ割当情報及びＵＬＣＣ割当情報を含むＣＡセット通知を、基地局装置Ｂへ送信する。なお、このＤＬＣＣ割当情報及びＵＬＣＣ割当情報は、図３における基地局装置ＡのＣＡ記憶部１２２ａ、及び基地局装置ＢのＣＡ記憶部１２２ｂに記憶される。その後、ステップＳ１０８に進む。
【００８８】
（ステップＳ１０８）基地局装置Ａは、生成したＤＬＣＣ割当情報及びＵＬＣＣ割当情報を含むＣＡセット通知を、端末装置Ｃへ送信する。なお、このＣＡセット通知は、メインＣＣであるＣＣ１を用いて送信される。また、このＤＬＣＣ割当情報及びＵＬＣＣ割当情報は、図３における端末装置ＣのＣＡ記憶部１２１ｃに記憶される。以上の動作によって、基地局装置Ａ、Ｂ及び端末装置Ｃで、ＤＬＣＣ割当情報及びＵＬＣＣ割当情報が共有される。その後、ステップＳ１０９に進む。
（ステップＳ１０９）基地局装置Ａは、データを要求するデータ要求をコアネットワーク装置Ｄへ送信する。その後、ステップＳ１１０に進む。
（ステップＳ１１０）コアネットワーク装置Ｄは、データを基地局装置Ａへデータを送信する。これにより、パケット通信が開始される。その後、ステップＳ１１１に進む。
【００８９】
（ステップＳ１１１）基地局装置Ａにおいて、図３のペイロード送受信処理部１３１ａは、ステップＳ１１０で送信されたデータを受信する。また、データ分配／結合部１３２ａは、受信したデータをＣＣ毎のデータに分割する。データ分配／結合部１３２ａは、分割したＣＣ毎のデータのうち基地局装置ＢのＣＣ（ＣＣ３）で送信するデータを基地局装置Ｂへ送信する。その後、ステップＳ１１２に進む。
（ステップＳ１１２）基地局装置Ａは、ステップＳ１１１で分割したデータのうちＣＣ１、２のデータを、ＣＣ１、２を用いて端末装置Ｃへ送信する。基地局装置Ｂは、ステップＳ１１１で基地局装置Ａから送信されたデータを受信し、ＣＣ３のデータを、ＣＣ３を用いて端末装置Ｃへ送信する。このように、端末装置Ｃは、同時に複数の基地局装置Ａ及びＢとＣＡ技術を用いて通信する。その後、ステップＳ１１３に進む。
（ステップＳ１１３）端末装置Ｃは伝搬品質を測定し、測定した伝搬品質を示す伝搬品質情報を基地局装置Ａに送信する。その後、ステップＳ１１４に進む。
【００９０】
（ステップＳ１１４）図１１で示すように、端末装置Ｃが左図（６ａ）の位置から右図（６ｂ）の位置へ移動し、ＣＣ２について、基地局装置Ｂから端末装置Ｃへの通信の伝搬品質が基地局装置Ａから端末装置Ｃへの通信の伝搬品質より高くなったとする。その後、ステップＳ１１５に進む。
（ステップＳ１１５）基地局装置Ａにおいて、図３のハンドオーバ検出部１２３ａは、端末装置Ｃをハンドオーバさせると判定する。つまり、ハンドオーバ検出部１２３ａはハンドオーバを検出する。
また、ハンドオーバ実行部１２４ａは、ＣＡセット選択処理を行って、ダウンリンクの通信についてＣＣの割り当てを決定する。ハンドオーバ実行部１２４ａは、決定したＣＣの割り当てを示すＤＬＣＣ割当情報を生成する。このＤＬＣＣ割当情報は、図１１の右図（６ｂ）の例では、基地局装置ＡがＣＣ１（メインＣＣ）を用いて端末装置Ｃと通信すること、及び、基地局装置ＢがＣＣ２（サブＣＣ）及びＣＣ３（サブＣＣ）を用いて端末装置Ｃと通信することを示す情報である。つまり、ハンドオーバ実行部１２４ａは、通信にＣＣ２を用いる基地局装置を、基地局装置Ａから基地局装置Ｂに変更することを決定する。その後、ステップＳ１１６に進む。
【００９１】
（ステップＳ１１６）基地局装置Ａは、生成したＤＬＣＣ割当情報を含むＣＡセット通知を、基地局装置Ｂへ送信する。なお、このＤＬＣＣ割当情報は、ステップＳ１０７で記憶されたＤＬＣＣ割当情報に代えて、図３における基地局装置ＡのＣＡ記憶部１２２ａ、及び基地局装置ＢのＣＡ記憶部１２２ｂに記憶される。その後、ステップＳ１１７に進む。
（ステップＳ１１７）基地局装置Ａは、端末装置Ｃにハンドオーバを指示するハンドオーバ通知を、端末装置Ｃへ送信する。なお、このパケット接続応答は、メインＣＣであるＣＣ１を用いて送信される。その後、ステップＳ１１８に進む。
【００９２】
（ステップＳ１１８）基地局装置Ａは、生成したＤＬＣＣ割当情報を含むＣＡセット通知を、端末装置Ｃへ送信する。なお、このＣＡセット通知は、メインＣＣであるＣＣ１を用いて送信される。また、このＤＬＣＣ割当情報は、ステップＳ１０８で記憶されたＤＬＣＣ割当情報に代えて、図３における端末装置ＣのＣＡ記憶部１２１ｃに記憶される。以上の動作によって、基地局装置Ａ、Ｂ及び端末装置Ｃで、ハンドオーバ先のＣＣの割り当てを示すＤＬＣＣ割当情報が共有される。端末装置ＣはＤＬＣＣ割当情報が示すＣＣにハンドオーバする。その後、ステップＳ１１９に進む。
【００９３】
（ステップＳ１１９）コアネットワーク装置Ｄは、データを基地局装置Ａへデータを送信する。その後、ステップＳ１２０に進む。
（ステップＳ１２０）基地局装置Ａにおいて、図３のペイロード送受信処理部１３１ａは、ステップＳ１１９で送信されたデータを受信する。また、データ分配／結合部１３２ａは、受信したデータをＣＣ毎のデータに分割する。データ分配／結合部１３２ａは、分割したＣＣ毎のデータのうち基地局装置ＢのＣＣ（ＣＣ２、３）で送信するデータを基地局装置Ｂへ送信する。その後、ステップＳ１２１に進む。
（ステップＳ１２１）基地局装置Ａは、ステップＳ１２０で分割したデータのうちＣＣ１のデータを、ＣＣ１を用いて端末装置Ｃへ送信する。基地局装置Ｂは、ステップＳ１１２で基地局装置Ａから送信されたデータを受信し、ＣＣ２、３のデータを、ＣＣ２、３を用いて端末装置Ｃへ送信する。
【００９４】
＜メインＣＣのハンドオーバ処理について＞
次に、基地局装置Ａ及びＢ間でメインＣＣを切り替える（メインＣＣのハンドオーバという）場合について説明をする。
図１３は、本実施形態に係るメインＣＣのハンドオーバ処理の一例を示す概略図である。この図において、左図（８ａ）はハンドオーバ前の通信システムの状態を示し、右図（８ｂ）はハンドオーバ後の通信システムの状態を示す。この図は、メインＣＣをハンドオーバする場合の図である。また、この図を用いて、基地局装置Ａ、Ｂに加えて、基地局装置Ｂ’がある場合についても説明をする。なお、基地局装置Ｂ’の構成は、基地局装置Ｂの構成（図２、３参照）と同じである。
【００９５】
左図（８ａ）は、ハンドオーバ前において、端末装置Ｃが基地局装置ＡからＣＣ１、２を用いてダウンリンクの通信を行うことを示す。また、左図（８ａ）は、端末装置Ｃが基地局装置ＢからＣＣ３を用いてダウンリンクの通信を行うことを示す。ここで、ＣＣ１はサブＣＣであり、ＣＣ２、３はメインＣＣである。
また、左図（８ａ）は、コアネットワーク装置Ｄからメイン基地局装置である基地局装置Ａにデータが送信され、基地局装置Ａがデータを分割することを示す。また、左図（８ａ）は、分割したデータのうちＣＣ３に配置する信号のデータを、基地局装置Ａがサブ基地局装置である基地局装置Ｂに送信することを示す。
【００９６】
右図（８ｂ）は、ハンドオーバ後において、端末装置Ｃが基地局装置ＡからＣＣ１を用いてダウンリンクの通信を行うことを示す。また、右図（８ｂ）は、端末装置Ｃが基地局装置ＢからＣＣ２、３を用いてダウンリンクの通信を行うことを示す。ここで、ＣＣ１、３はサブＣＣであり、ＣＣ２はメインＣＣである。
また、右図（８ｂ）は、コアネットワーク装置Ｄからメイン基地局装置である基地局装置Ｂにデータが送信され、基地局装置Ｂがデータを分割することを示す。また、右図（８ｂ）は、分割したデータのうちＣＣ１に配置する信号のデータを、基地局装置Ｂがサブ基地局装置である基地局装置Ａに送信することを示す。
【００９７】
図１４は、本実施形態に係る通信システムの動作の別の一例を示すシーケンス図である。この図は、端末装置Ｃが基地局装置Ａ及びＢと接続（ハンドオーバを含む）して通信を行う場合の動作を示す図である。また、この図は、図１３の例についてのメインＣＣのハンドオーバ処理を、通信システムが行う場合の動作を示す図である。
【００９８】
（ステップＳ２０１）端末装置Ｃは、例えば電源を入れた後、セルサーチを行って基地局装置Ａに接続する。端末装置Ｃは、基地局装置Ａを位置登録先の基地局装置として位置登録を行い、その後、通信の待ち受け状態となる。なお、図１４の例は、ＣＣ２が通信に用いられる場合の例である。また、端末装置Ｃは、定期的にＤＬ伝搬品質情報を基地局装置Ａに送信する。その後、ステップＳ２０２に進む。
（ステップＳ２０２）端末装置Ｃでは、パケット通信要求が発生する。その後、ステップＳ２０３に進む。
（ステップＳ２０３）端末装置Ｃは、パケット接続要求を送信する。その後、ステップＳ２０４に進む。
（ステップＳ２０４）基地局装置Ａは、ステップＳ２０３のパケット接続要求に対する応答であるパケット接続応答を、端末装置Ｃへ送信する。なお、このパケット接続応答は、メインＣＣであるＣＣ２を用いて送信される。その後、ステップＳ２０５に進む。
（ステップＳ２０５）端末装置Ｃは、伝搬品質を測定し、測定した伝搬品質を示す伝搬品質情報を基地局装置Ａに送信する。その後、ステップＳ２０６に進む。
【００９９】
（ステップＳ２０６）基地局装置Ａは、ＣＡ技術の通信を行うか否かを判定する。図１４の一例は、ＣＡ技術の通信を行うと判定した例である。基地局装置Ａは、ＣＡセット選択処理を行い、ＤＬＣＣ割当情報及びＵＬＣＣ割当情報を生成する。このＤＬＣＣ割当情報は、基地局装置ＡがＣＣ１（サブＣＣ）及びＣＣ２（メインＣＣ）を用いて端末装置Ｃと通信すること、及び、基地局装置ＢがＣＣ３（サブＣＣ）を用いて端末装置Ｃと通信することを示す情報である（図１３（ａ）参照）。その後、ステップＳ２０７に進む。
【０１００】
（ステップＳ２０７）基地局装置Ａは、生成したＤＬＣＣ割当情報及びＵＬＣＣ割当情報を含むＣＡセット通知を、基地局装置Ｂへ送信する。なお、このＤＬＣＣ割当情報及びＵＬＣＣ割当情報は、図３における基地局装置ＡのＣＡ記憶部１２２ａ、及び基地局装置ＢのＣＡ記憶部１２２ｂに記憶される。その後、ステップＳ２０８に進む。
【０１０１】
（ステップＳ２０８）基地局装置Ａは、生成したＤＬＣＣ割当情報及びＵＬＣＣ割当情報を含むＣＡセット通知を、端末装置Ｃへ送信する。なお、このＣＡセット通知は、メインＣＣであるＣＣ２を用いて送信される。また、このＤＬＣＣ割当情報及びＵＬＣＣ割当情報は、図３における端末装置ＣのＣＡ記憶部１２１ｃに記憶される。以上の動作によって、基地局装置Ａ、Ｂ及び端末装置Ｃで、ＤＬＣＣ割当情報及びＵＬＣＣ割当情報が共有される。その後、ステップＳ２０９に進む。
（ステップＳ２０９）基地局装置Ａは、データを要求するデータ要求をコアネットワーク装置Ｄへ送信する。その後、ステップＳ２１０に進む。
（ステップＳ２１０）コアネットワーク装置Ｄは、データを基地局装置Ａへデータを送信する。これにより、パケット通信が開始される。その後、ステップＳ２１１に進む。
【０１０２】
（ステップＳ２１１）基地局装置Ａにおいて、図３のペイロード送受信処理部１３１ａは、ステップＳ２１０で送信されたデータを受信する。また、データ分配／結合部１３２ａは、受信したデータをＣＣ毎のデータに分割する。データ分配／結合部１３２ａは、分割したＣＣ毎のデータのうち基地局装置ＢのＣＣ（ＣＣ３）で送信するデータを基地局装置Ｂへ送信する。その後、ステップＳ２１２に進む。
（ステップＳ２１２）基地局装置Ａは、ステップＳ２１１で分割したデータのうちＣＣ１、２のデータを、ＣＣ１、２を用いて端末装置Ｃへ送信する。基地局装置Ｂは、ステップＳ２１０で基地局装置Ａから送信されたデータを受信し、ＣＣ３のデータを、ＣＣ３を用いて端末装置Ｃへ送信する。その後、ステップＳ２１３に進む。
（ステップＳ２１３）端末装置Ｃは伝搬品質を測定し、測定した伝搬品質を示す伝搬品質情報を基地局装置Ａに送信する。その後、ステップＳ２１４に進む。
【０１０３】
（ステップＳ２１４）図１３で示すように、端末装置Ｃが左図（８ａ）の位置から右図（８ｂ）の位置へ移動し、ＣＣ２について、基地局装置Ｂから端末装置Ｃへの通信の伝搬品質が基地局装置Ａから端末装置Ｃへの通信の伝搬品質より高くなったとする。その後、ステップＳ２１５に進む。
（ステップＳ２１５）基地局装置Ａにおいて、図３のハンドオーバ検出部１２３ａは、端末装置Ｃをハンドオーバさせると判定する。つまり、ハンドオーバ検出部１２３ａはハンドオーバを検出する。
また、ハンドオーバ実行部１２４ａは、ＣＡセット選択処理を行って、ダウンリンクの通信についてＣＣの割り当てを決定する。ハンドオーバ実行部１２４ａは、決定したＣＣの割り当てを示すＤＬＣＣ割当情報を生成する。このＤＬＣＣ割当情報は、図１３の右図（８ｂ）の例では、基地局装置ＡがＣＣ１（サブＣＣ）を用いて端末装置Ｃと通信すること、及び、基地局装置ＢがＣＣ２（メインＣＣ）及びＣＣ３（サブＣＣ）を用いて端末装置Ｃと通信することを示す情報である。つまり、ハンドオーバ実行部１２４ａは、通信にＣＣ２を用いる基地局装置を、基地局装置Ａから基地局装置Ｂに変更することを決定する。その後、ステップＳ２１６に進む。
【０１０４】
（ステップＳ２１６）基地局装置Ａは、生成したＤＬＣＣ割当情報を含むＣＡセット通知を、基地局装置Ｂへ送信する。なお、このＤＬＣＣ割当情報は、ステップＳ２０６で記憶されたＤＬＣＣ割当情報に代えて、図３における基地局装置ＡのＣＡ記憶部１２２ａ、及び基地局装置ＢのＣＡ記憶部１２２ｂに記憶される。その後、ステップＳ２１７に進む。
（ステップＳ２１７）基地局装置Ａは、端末装置Ｃにハンドオーバを指示するハンドオーバ通知を、端末装置Ｃへ送信する。なお、このパケット接続応答は、メインＣＣであるＣＣ２を用いて送信される。その後、ステップＳ２１８に進む。
（ステップＳ２１８）基地局装置Ａは、生成したＤＬＣＣ割当情報を含むＣＡセット通知を、端末装置Ｃへ送信する。なお、このＣＡセット通知は、メインＣＣであるＣＣ２を用いて送信される。また、このＤＬＣＣ割当情報は、ステップＳ２０８で記憶されたＤＬＣＣ割当情報に代えて、図３における端末装置ＣのＣＡ記憶部１２１ｃに記憶される。端末装置Ｃは、ＤＬＣＣ割当情報が示すＣＣにハンドオーバする。その後、ステップＳ２１９に進む。
【０１０５】
（ステップＳ２１９）基地局装置Ａ、Ｂの構成は、図３のハッチングをしていない構成からハッチングをしている構成に代わる。これにより、基地局装置Ｂはメイン基地局装置になり、基地局装置Ａはサブ基地局装置になる。
基地局装置Ｂは、データを要求するデータ要求をコアネットワーク装置Ｄへ送信する。その後、ステップＳ２２０に進む。
（ステップＳ２２０）コアネットワーク装置Ｄは、データを基地局装置Ｂへデータを送信する。その後、ステップＳ２２１に進む。
【０１０６】
（ステップＳ２２１）基地局装置Ｂにおいて、図３のペイロード送受信処理部１３２ｂは、ステップＳ２２０で送信されたデータを受信する。また、データ分配／結合部１３２ｂは、受信したデータをＣＣ毎のデータに分割する。データ分配／結合部１３２ｂは、分割したＣＣ毎のデータのうち基地局装置ＡのＣＣ（ＣＣ１）で送信するデータを基地局装置Ａへ送信する。その後、ステップＳ２２２に進む。
（ステップＳ２２２）基地局装置Ｂは、ステップＳ２２１で分割したデータのうちＣＣ２、３のデータを、ＣＣ２、３を用いて端末装置Ｃへ送信する。基地局装置Ａは、ステップＳ２２１で基地局装置Ｂから送信されたデータを受信し、ＣＣ１のデータを、ＣＣ１を用いて端末装置Ｃへ送信する。その後、ステップＳ２２３に進む。
（ステップＳ２２３）端末装置Ｃは伝搬品質を測定し、測定した伝搬品質を示す伝搬品質情報を基地局装置Ｂに送信する。その後、ステップＳ２２４に進む。
【０１０７】
（ステップＳ２２４）端末装置Ｃの位置が移動し、ＣＣ３について、基地局装置Ｂ’から端末装置Ｃへの通信の伝搬品質が基地局装置Ｂから端末装置Ｃへの通信の伝搬品質より高くなったとする。その後、ステップＳ２２５に進む。
（ステップＳ２２５）基地局装置Ｂにおいて、図３のハンドオーバ検出部１２３ｂは、端末装置Ｃをハンドオーバさせると判定する。つまり、ハンドオーバ検出部１２３ｂはハンドオーバを検出する。
また、ハンドオーバ実行部１２４ｂは、ＣＡセット選択処理を行って、ダウンリンクの通信についてＣＣの割り当てを決定する。ハンドオーバ実行部１２４ｂは、決定したＣＣの割り当てを示すＤＬＣＣ割当情報を生成する。このＤＬＣＣ割当情報は、基地局装置ＢがＣＣ１（サブＣＣ）を用いて端末装置Ｃと通信すること、基地局装置ＢがＣＣ２（メインＣＣ）を用いて端末装置Ｃと通信すること、及び、基地局装置Ｂ’がＣＣ３（サブＣＣ）を用いて端末装置Ｃと通信することを示す情報である。つまり、ハンドオーバ実行部１２４ｂは、通信にＣＣ３を用いる基地局装置を、基地局装置Ｂから基地局装置Ｂ’に変更することを決定する。その後、ステップＳ２２６に進む。
【０１０８】
（ステップＳ２２６）基地局装置Ｂは、生成したＤＬＣＣ割当情報を含むＣＡセット通知を、基地局装置Ａへ送信する。なお、このＤＬＣＣ割当情報は、ステップＳ２１６で記憶されたＤＬＣＣ割当情報に代えて、図３における基地局装置ＡのＣＡ記憶部１２２ａ、及び基地局装置ＢのＣＡ記憶部１２２ｂに記憶される。その後、ステップＳ２２７に進む。
（ステップＳ２２７）基地局装置Ｂは、生成したＤＬＣＣ割当情報を含むＣＡセット通知を、基地局装置Ｂ’へ送信する。なお、このＤＬＣＣ割当情報は、基地局装置Ｂ’のＣＡ記憶部（基地局装置ＢのＣＡ記憶部１２２ｂに相当する）に記憶される。その後、ステップＳ２２８に進む。
（ステップＳ２２８）基地局装置Ｂは、端末装置Ｃにハンドオーバを指示するハンドオーバ通知を、端末装置Ｃへ送信する。なお、このパケット接続応答は、メインＣＣであるＣＣ２を用いて送信される。その後、ステップＳ２２９に進む。
【０１０９】
（ステップＳ２２９）基地局装置Ｂは、生成したＤＬＣＣ割当情報を含むＣＡセット通知を、端末装置Ｃへ送信する。なお、このＣＡセット通知は、メインＣＣであるＣＣ２を用いて送信される。また、このＤＬＣＣ割当情報は、ステップＳ２１８で記憶されたＤＬＣＣ割当情報に代えて、図３における端末装置ＣのＣＡ記憶部１２１ｃに記憶される。以上の動作によって、基地局装置Ａ、Ｂ、Ｂ’及び端末装置Ｃで、ハンドオーバ先のＣＣの割り当てを示すＤＬＣＣ割当情報が共有される。端末装置ＣはＤＬＣＣ割当情報が示すＣＣにハンドオーバする。その後、ステップＳ２３０に進む。
【０１１０】
（ステップＳ２３０）コアネットワーク装置Ｄは、データを基地局装置Ｂへデータを送信する。その後、ステップＳ２３１に進む。
（ステップＳ２３１）基地局装置Ｂにおいて、図３のペイロード送受信処理部１３２ｂは、ステップＳ２３０で送信されたデータを受信する。また、データ分配／結合部１３２ｂは、受信したデータをＣＣ毎のデータに分割する。データ分配／結合部１３２ｂは、分割したＣＣ毎のデータのうち基地局装置ＡのＣＣ（ＣＣ１）で送信するデータを基地局装置Ａへ送信する。その後、ステップＳ２３２に進む。
【０１１１】
（ステップＳ２３２）基地局装置Ｂにおいて、データ分配／結合部１３２ｂは、分割したＣＣ毎のデータのうち基地局装置Ｂ’のＣＣ（ＣＣ３）で送信するデータを基地局装置Ｂ’へ送信する。その後、ステップＳ２３３に進む。
（ステップＳ２３３）基地局装置Ａは、ステップＳ２３１で基地局装置Ｂから送信されたデータを受信し、ＣＣ１のデータを、ＣＣ１を用いて端末装置Ｃへ送信する。基地局装置Ｂは、ステップＳ２３１で分割したデータのうちＣＣ２のデータを、ＣＣ２を用いて端末装置Ｃへ送信する。基地局装置Ｂ’は、ステップＳ２３２で基地局装置Ｂから送信されたデータを受信し、ＣＣ３のデータを、ＣＣ３を用いて端末装置Ｃへ送信する。
【０１１２】
＜メインＣＣ切り替えハンドオーバ処理について＞
次に、基地局装置ＡのメインＣＣをサブＣＣに切り替え、基地局装置ＢのサブＣＣをメインＣＣに切り替える（メインＣＣ切り替えハンドオーバという）場合について説明をする。
図１５は、本実施形態に係るメインＣＣ切り替えハンドオーバ処理の一例を示す概略図である。この図において、左図（１０ａ）はハンドオーバ前の通信システムの状態を示し、右図（１０ｂ）はハンドオーバ後の通信システムの状態を示す。この図は、基地局装置ＡのメインＣＣをサブＣＣに切り替え、基地局装置ＢのサブＣＣをメインＣＣに切り替える場合の図である。
この図において、左図（１０ａ）は、図１３の左図（８ａ）と同じであるので、説明は省略する。
【０１１３】
右図（１０ｂ）は、ハンドオーバ後において、端末装置Ｃが基地局装置ＡからＣＣ１、２を用いてダウンリンクの通信を行うことを示す。また、右図（１０ｂ）は、端末装置Ｃが基地局装置ＢからＣＣ３を用いてダウンリンクの通信を行うことを示す。ここで、ＣＣ１、２はサブＣＣであり、ＣＣ３はメインＣＣである。
また、右図（１０ｂ）は、コアネットワーク装置Ｄからメイン基地局装置である基地局装置Ｂにデータが送信され、基地局装置Ｂがデータを分割することを示す。また、右図（１０ｂ）は、分割したデータのうちＣＣ１、２に配置する信号のデータを、基地局装置Ｂがサブ基地局装置である基地局装置Ａに送信することを示す。
【０１１４】
図１６は、本実施形態に係る通信システムの動作の別の一例を示すシーケンス図である。この図は、端末装置Ｃが基地局装置Ａ及びＢと接続（ハンドオーバを含む）して通信を行う場合の動作を示す図である。また、この図は、図１５の例についてのメインＣＣ切り替えハンドオーバ処理を、通信システムが行う場合の動作を示す図である
図１６のシーケンス図と図１４のシーケンス図とを比較すると、ステップＳ２０１〜Ｓ２１３の処理は同じであるので、これらの処理については説明を省略する。
【０１１５】
（ステップＳ３１４）図１５で示すように、端末装置Ｃが左図（１０ａ）の位置から右図（１０ｂ）の位置へ移動し、基地局装置Ｂから端末装置ＣへのＣＣ３を用いた通信の伝搬品質が、基地局装置Ａから端末装置ＣへのＣＣ２を用いた通信の伝搬品質より高くなったとする。また、基地局装置Ａから端末装置ＣへのＣＣ２を用いた通信の伝搬品質は、ＣＣ１を用いた通信の伝搬品質が高い、又は、ＣＣ１を用いた通信の伝搬品質の次に伝搬品質が高いものとする。その後、ステップＳ３１５に進む。
【０１１６】
（ステップＳ３１５）基地局装置Ａにおいて、図３のハンドオーバ検出部１２３ａは、端末装置Ｃをハンドオーバさせると判定する。つまり、ハンドオーバ検出部１２３ａはハンドオーバを検出する。
また、ハンドオーバ実行部１２４ａは、ＣＡセット選択処理を行って、ダウンリンクの通信についてＣＣの割り当てを決定する。ハンドオーバ実行部１２４ａは、決定したＣＣの割り当てを示すＤＬＣＣ割当情報を生成する。このＤＬＣＣ割当情報は、図１５の右図（１０ｂ）の例では、基地局装置ＡがＣＣ１（サブＣＣ）及びＣＣ２（サブＣＣ）を用いて端末装置Ｃと通信すること、及び、基地局装置ＢがＣＣ３（メインＣＣ）を用いて端末装置Ｃと通信することを示す情報である。つまり、ハンドオーバ実行部１２４ａは、基地局装置ＡのメインＣＣをサブＣＣに変更し、基地局装置ＢのサブＣＣをメインＣＣに変更することを決定する。その後、ステップＳ３１６に進む。
【０１１７】
（ステップＳ３１６）基地局装置Ａは、生成したＤＬＣＣ割当情報を含むＣＡセット通知を、基地局装置Ｂへ送信する。なお、このＤＬＣＣ割当情報は、ステップＳ２０６で記憶されたＤＬＣＣ割当情報に代えて、図３における基地局装置ＡのＣＡ記憶部１２２ａ、及び基地局装置ＢのＣＡ記憶部１２２ｂに記憶される。その後、ステップＳ３１７に進む。
（ステップＳ３１７）基地局装置Ａは、端末装置Ｃにハンドオーバを指示するハンドオーバ通知を、端末装置Ｃへ送信する。なお、このパケット接続応答は、メインＣＣであるＣＣ２を用いて送信される。その後、ステップＳ３１８に進む。
（ステップＳ３１８）基地局装置Ａは、生成したＤＬＣＣ割当情報を含むＣＡセット通知を、端末装置Ｃへ送信する。なお、このＣＡセット通知は、メインＣＣであるＣＣ２を用いて送信される。また、このＤＬＣＣ割当情報は、ステップＳ２０８で記憶されたＤＬＣＣ割当情報に代えて、図３における端末装置ＣのＣＡ記憶部１２１ｃに記憶される。端末装置Ｃは、メインＣＣをＤＬＣＣ割当情報が示すメインＣＣを切り替える。その後、ステップＳ３１９に進む。
【０１１８】
（ステップＳ３１９）基地局装置Ａ、Ｂの構成は、図３のハッチングをしていない構成からハッチングをしている構成に代わる。これにより、基地局装置Ｂはメイン基地局装置になり、基地局装置Ａはサブ基地局装置になる。
基地局装置Ｂは、データを要求するデータ要求をコアネットワーク装置Ｄへ送信する。その後、ステップＳ３２０に進む。
（ステップＳ３２０）コアネットワーク装置Ｄは、データを基地局装置Ｂへデータを送信する。その後、ステップＳ３２１に進む。
【０１１９】
（ステップＳ３２１）基地局装置Ｂにおいて、図３のペイロード送受信処理部１３２ｂは、ステップＳ３２０で送信されたデータを受信する。また、データ分配／結合部１３２ｂは、受信したデータをＣＣ毎のデータに分割する。データ分配／結合部１３２ｂは、分割したＣＣ毎のデータのうち基地局装置ＡのＣＣ（ＣＣ１、２）で送信するデータを基地局装置Ａへ送信する。その後、ステップＳ３２２に進む。
（ステップＳ３２２）基地局装置Ｂは、ステップＳ３２１で分割したデータのうちＣＣ３のデータを、ＣＣ３を用いて端末装置Ｃへ送信する。基地局装置Ａは、ステップＳ３２１で基地局装置Ｂから送信されたデータを受信し、ＣＣ１、２のデータを、ＣＣ１、２を用いて端末装置Ｃへ送信する。
【０１２０】
以下、端末制御部１ｃが行う処理について説明をする。
図１７は、本実施形態に係る端末制御部１ｃの動作の一例を示すシーケンス図である。この図は、図６のメイン基地局制御部１ａの動作に対応する端末制御部１ｃの動作の一例を示す図である。また、この図は、端末装置Ｃの電源を入れた後に端末装置Ｃが基地局装置Ａに接続して待ち受け状態となる場合、又は、基地局装置Ａ又はＢと通信中の場合の図である。
【０１２１】
（ステップＳＴ１）端末制御部１ｃは、基地局装置Ａ又はＢと通信中であるか否か（待ち受け状態でないか否か）を判定する。基地局装置Ａ及びＢと通信中でないと判定した場合（ｎｏ；待ち受け状態である（通信中でない））、ステップＳＴ２に進む。一方、基地局装置Ａ又はＢと通信中であると判定した場合（ｙｅｓ；通信中である（待ち受け状態でない））、ステップＳＴ４に進む。
（ステップＳＴ２）端末制御部１ｃは、基地局装置各々から端末装置Ｃへのダウンリンクの通信での伝搬路品質（品質レベル）を、基地局装置Ａ（メイン基地局装置）に送信する。その後、ステップＳＴ３に進む。
（ステップＳＴ３）端末制御部１ｃは、基地局装置ＡからのＣＡセット通知を受信する。その後、動作を終了する。
【０１２２】
（ステップＳＴ４）端末制御部１ｃは、基地局装置各々から端末装置Ｃへのダウンリンクの通信での伝搬路品質（品質レベル）を、基地局装置Ａに送信する。その後、ステップＳＴ５に進む。
（ステップＳＴ５）その後、端末制御部１ｃは基地局装置Ａからのハンドオーバー通知を受信し、ハンドオーバ処理を行う。その後、動作を終了する。
【０１２３】
図１８は、本実施形態に係る端末制御部１ｃの動作の別の一例を示すシーケンス図である。この図は、図７のＣＡ決定処理に対応する端末制御部１ｃの動作の一例を示す図である。この図は、図１７のステップＳＴ２、ＳＴ３の処理の一例を示す図である。
【０１２４】
（ステップＳＴ２０１）端末装置Ｃのデータ通信処理部１３１は、メインＣＣを用いて通信の待ち受け状態となる（図１２のＳ１０１、図１４のＳ２０１参照）。その後、ステップＳＴ２０２に進む。
（ステップＳＴ２０２）待ち受け状態からパケット通信要求が発生し、データ通信処理部１３１は、パケット通信要求を送信又は受信する（図１２のＳ１０２、Ｓ１０３、図１４のＳ２０２、Ｓ２０３参照）。その後、ステップＳＴ２０３に進む。
【０１２５】
（ステップＳＴ２０３）端末装置Ｃの品質処理部１１ｃは、メインＣＣを用いて基地局装置Ａ（メイン基地局装置）へ受信品質を通知する（図１２のＳ１０５、図１４のＳ２０５参照）。なお、ＤＬ伝搬路品質（受信品質）情報の概略図の一例は、図８のものである。その後、ステップＳＴ３０１に進む。
（ステップＳＴ３０１）端末装置ＣのＣＡ処理部１２ｃは、基地局装置ＡからのＣＡセットリスト通知を受信する（図１２のＳ１０８、図１４のＳ２０８参照）。ＣＡ処理部１２ｃは、受信したＣＡセットリストをＣＡ記憶部１２１ｃに記憶する。端末装置Ｃ（データ通信処理部１３ｃ）は、ステップＳＴ３０１で記憶したＣＡセットリストに従って受信動作を行って、動作を終了する。
【０１２６】
図１９は、本実施形態に係る端末制御部１ｃの動作の別の一例を示すシーケンス図である。この図は、図９のハンドオーバ処理に対応する端末制御部１ｃの動作の一例を示す図である。この図は、図１７のステップＳＴ４、ＳＴ５の処理の一例を示す図である。
【０１２７】
（ステップＳＴ４０１）端末装置Ｃのデータ通信処理部１３１は、図１８の動作（図１７のステップＳＴ２、３）を経て、基地局装置とパケット通信を行っている（図１２のステップＳ１１２、図１３のステップＳ２１２参照）。その後、ステップＳＴ４０２に進む。
（ステップＳＴ４０２）端末装置Ｃの品質処理部１１ｃは、メインＣＣを用いて基地局装置Ａ（メイン基地局装置）へ受信品質を通知する（図１２のＳ１１３、図１４のＳ２１３参照）。その後、ステップＳＴ５０１に進む。
【０１２８】
（ステップＳＴ５０１）ここで基地局装置Ａがハンドオーバーを行うと判断した場合、基地局装置Ａは、メインＣＣを用いて端末装置Ｃにハンドオーバー通知を行う。端末装置Ｃのデータ通信処理部１３Ｃは、このハンドオーバー通知を受信する（図１２のステップＳ１１７、図１４のステップＳ２１７参照）。その後、ステップＳＴ５０２に進む。
（ステップＳＴ５０２）さらに基地局装置Ａは、ハンドオーバーの組み合わせ（メインＣＣ、サブＣＣ）を示したＣＡセットリストを端末装置Ｃに通知する。端末装置ＣのＣＡ処理部１２ｃは、このＣＡセットリストを受信する（図１２のＳ１１８、図１４のＳ２１８参照）。ＣＡ処理部１２ｃは、受信したＣＡセットリストをＣＡ記憶部１２１ｃに記憶する。
【０１２９】
端末装置Ｃ（データ通信処理部１３ｃ）は、ステップＳＴ５０２で記憶したＣＣセットリストのＣＣの組み合わせに従い、メインＣＣ、サブＣＣを定めて受信動作を行う。その後、動作を終了する。
なお、ハンドオーバー処理においてメインＣＣのハンドオーバー、サブＣＣのハンドオーバーについては、端末装置Ｃ側としては受信動作に差異はなく、端末装置Ｃは、基地局装置からのＣＡセットを受信し、メインＣＣ、サブＣＣの組み合わせにしたがってＣＡ受信動作を行うことになる。
【０１３０】
このように、本実施形態によれば、基地局装置Ａは端末装置Ｃに送信するデータの一部を変調した信号を、例えばＣＣ１、ＣＣ２に配置して送信し、基地局装置Ｂは端末装置Ｃに送信するデータの一部を変調した信号を、例えばＣＣ３に配置して送信する。また、端末装置Ｃは、基地局装置ＡからＣＣ１、ＣＣ２を用いて受信した信号と、基地局装置ＢからＣＣ３を用いて受信した信号と、を復調し、復調したデータを統合する。
これにより、本実施形態では、無線通信システムは、複数の基地局装置のＣＣを用いて通信をすることができ、周波数ダイバーシチや空間ダイバーシチ等のＣＣの多様性を得ることができる。具体的には、無線通信システムは、基地局装置Ａが用いるＣＣ１〜３及び基地局装置Ｂが用いるＣＣ１〜３の合計６個（基地局装置がＣＣ４を用いることができる場合は７個）のＣＣから端末装置Ｃとの通信に用いるＣＣを選択することができる。また、例えば、同じＣＣ３でも、基地局装置Ａが用いるＣＣ３より基地局装置Ｂが用いるＣＣ２の方が、受信品質が高い場合（例えば、基地局装置Ａから端末装置Ｃへの伝搬路に遮蔽物がある場合）、又は、通信トラフィックが少ない場合がある。この場合、無線通信システムは、同じ周波数帯域のＣＣ２でも、基地局装置Ｂが用いるＣＣ２を選択することができる。
【０１３１】
また、本実施形態によれば、メイン基地局装置である基地局装置Ａでは、ＣＡ決定部１２１ａは複数の基地局装置各々が通信に用いるＣＣから端末装置Ｃとの通信に用いるＣＣを選択し、ＣＡセット通知部１２５ａはＣＡ決定部１２１ａが選択したＤＬＣＣ割当情報を基地局装置Ｂに通知し、送信部Ａ２−１〜Ａ２−３は端末装置Ｃに送信するデータの一部を変調した信号を、ＣＡ決定部１２１ａが選択したＣＣに配置して送信する。また、サブ基地局装置である基地局装置Ｂでは、送信部Ｂ２−１〜Ｂ２−３は端末装置Ｃに送信するデータの一部を変調した信号を基地局装置Ａから通知されたＤＬＣＣ割当情報が示すＣＣに配置して送信する。また、端末装置Ｃでは、受信部Ｃ２−１〜Ｃ２−３は基地局装置Ａ及びＢからＣＣを用いて信号を受信し、無線処理部１３１ｃは受信部Ｃ２−１〜Ｃ２−３が受信した信号を統合する。
これにより、本実施形態では、無線通信システムは、複数の基地局装置各々が通信に用いるＣＣから端末装置Ｃとの通信に用いるＣＣを選択することができ、周波数ダイバーシチや空間ダイバーシチ等のＣＣの多様性を得ることができる。
【０１３２】
また、本実施形態によれば、基地局装置Ａが通信に用いるＣＣは、複数の基地局装置各々が通信に用いるＣＣの中から１つ選択されたメインＣＣである。つまり、基地局装置Ａはメイン基地局装置であり、ＣＡ決定部１２１ａ及びＣＡセット通知部１２５ａを備える。これにより、本実施形態では、無線通信システムは、メイン基地局装置がＣＣの割り当てを決定して基地局装置Ｂに送信するので、一の基地局装置がＣＣの割り当てを決定することができる。
また、本実施形態によれば、メイン基地局装置である基地局装置Ａでは、データ分配／結合部１３２ａがＤＬＣＣ割当情報に基づいて端末装置Ｃに送信するデータを分割し、分割したデータを基地局装置Ｂに送信する。これにより、本実施形態では、無線通信システムは、一の基地局装置がデータを受信して分割するので、例えばコアネットワーク装置Ｄでデータを分割してから各基地局装置へデータを送信する場合と比較して、コアネットワーク装置Ｄの処理負荷を軽減することができる。
【０１３３】
また、本実施形態によれば、端末装置Ｃでは、無線処理部１３１ｃはメインＣＣで通信の待ち受けを行い、通信が発生した場合に接続要求をメイン基地局装置である基地局装置Ａに送信し、キャリア集合決定部１２１ａは、端末装置Ｃから接続要求を受信すると、端末装置Ｃとの通信に用いるＣＣを選択する。これにより、本実施形態では、無線通信システムは、端末装置Ｃが一のＣＣで通信の待ち受けを行うことができ、複数のＣＣで通信の待ち受けを行う場合と比較して端末装置Ｃの処理負荷を軽減することができる。
また、本実施形態によれば、ＣＡ決定部１２１ａ及びハンドオーバ実行部１２４ａは、複数の基地局装置各々が通信に用いるＣＣ各々での伝搬品質又は通信トラフィック量に基づいて、通信装置との通信に用いるＣＣを選択する。これにより、本実施形態では、無線通信システムは、伝搬品質が高いＣＣを通信に用いることによって、通信誤りが発生することを防止し、品質が高い通信を行うことができる。また、本実施形態では、無線通信システムは、通信トラフィック量が少ないＣＣを通信に用いることにより、通信容量が溢れることを防止することができる。
【０１３４】
また、本実施形態によれば、メイン基地局装置である基地局装置Ａでは、ハンドオーバ検出部１２３ａは端末装置Ｃとの通信に用いるＣＣを切り替えるか否かを判定し、ハンドオーバ実行部１２４ａはハンドオーバ検出部１２３ａがＣＣを切り替えると判定した場合、複数の基地局装置各々が通信に用いるＣＣから、端末装置Ｃとの通信に用いるＣＣを選択する。また、基地局装置Ａでは、ＣＡセット通知部１２５ａは、ハンドオーバ実行部１２４ａが選択したＣＣを示すＤＬＣＣ割当情報を、基地局装置Ｂ及び通信装置Ｃに通知し、送信部Ａ２−１〜Ａ２−３は、端末装置Ｃに送信するデータの一部を変調した信号を、ハンドオーバ実行部１２４ａが選択したＣＣに配置して送信する。端末装置Ｃでは、受信部Ｃ２−１〜Ｃ２−３は信号を受信するＣＣを、基地局装置Ａから通知されたＤＬＣＣ割当情報が示すＣＣに切り替える。これにより、本実施形態では、無線通信システムは、端末装置Ｃとの通信に用いるＣＣを、基地局装置間で変更することができる。
また、本実施形態によれば、端末装置Ｃでは、受信部Ｃ２−１〜Ｃ２−３はメイン基地局装置である基地局装置Ａから通知されたＤＬＣＣ割当情報が示すＣＣのうち、変更があった要素キャリアのみを切り替える。これにより、本実施形態では、端末装置Ｃが変更がないＣＣと通信を継続することができる。
【０１３５】
なお、上記実施形態において、ＤＬＣＣ割当情報には、基地局種別の項目が含まれていたが、本発明はこれに限らず、基地局種別の項目を除いてもよい。
図２０は、本実施形態の変形例に係る基地局装置Ａ及びＢが記憶するＤＬＣＣ割当情報の一例を示す概略図である。図示するようにＤＬＣＣ割当情報は、端末識別番号、基地局識別番号、ＤＬ  ＣＣ識別番号、及び、ＣＣ種別の各項目を有している。図２０は、図４のＤＬＣＣ割当情報から基地局種別の項目を除いたものである。
図２１は、本実施形態の変形例に係る端末装置Ｃが記憶するＤＬＣＣ割当情報の一例を示す概略図である。図示するようにＤＬＣＣ割当情報は、基地局識別番号、ＤＬ  ＣＣ識別番号、及び、ＣＣ種別の各項目を有している。図２１は、図５のＤＬＣＣ割当情報から基地局種別の項目を除いたものである。
ＤＬＣＣ割当情報から基地局種別の項目を除く場合、基地局装置Ａ、Ｂ、及び端末装置Ｃは、ＣＣ種別が「メイン」であるＤＬＣＣ割当情報の基地局識別番号の基地局装置をメイン基地局装置と判定する。
【０１３６】
また、上記実施形態において、端末装置Ｃは２以上あってもよいし、基地局装置Ｂが２以上あってもよい。
また、コアネットワーク装置ＤがＣＡ決定部１２１ａ及びＣＡセット通知部１２５ａが持つ機能を備えてもよい。
【０１３７】
なお、上述した実施形態における基地局装置Ａ、Ｂ、通信装置Ｃの一部、例えば、品質測定部１１１ａ、品質管理部１１２ａ、ＣＡ決定部１２１ａ、ＣＡ記憶部１２２ａ、ハンドオーバ検出部１２３ａ、ハンドオーバ実行部１２４ａ、ＣＡセット通知部１２５ａ、ペイロード送受信処理部１３１ａ、データ分配／結合部１３２ａ、データ送受信処理部１３３ａ、無線処理部１３４ａ、品質測定部１１１ｂ、品質通知部１１３ｂ、ＣＡ記憶部１２２ｂ、ＣＡセット取得部１２６ｂ、データ送受信処理部１３３ｂ、無線処理部１３４ｂ、品質測定部１１１ｃ、品質通知部１１２ｃ、ＣＡ記憶部１２１ｃ、ＣＡセット通知部１２２ｃ、無線処理部１３１ｃをコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、基地局装置Ａ、Ｂ、又は通信装置Ｃに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【産業上の利用可能性】
【０１３９】
本発明は、携帯電話装置を端末装置とする移動通信システムに用いることができる。
【符号の説明】
【０１４０】
Ａ、Ｂ・・・基地局装置、Ｃ・・・端末装置、Ｄ・・・コアネットワーク装置、Ａ１、１ａ・・・メイン基地局制御部、Ａ２−１〜Ａ２−３・・・送信部（第１の送信部）、Ａ３−１〜Ａ３−３・・・送信アンテナ、Ａ４−１〜Ａ４−３・・・受信アンテナ、Ａ５−１〜Ａ５−３・・・受信部、Ｂ１、１ｂ・・・サブ基地局制御部、Ｂ２−１〜Ｂ２−３・・・送信部、Ｂ３−１〜Ｂ３−３・・・送信アンテナ、Ｂ４−１〜Ｂ４−３・・・受信アンテナ、Ｂ５−１〜Ｂ５−３・・・受信部、Ｃ１−１〜Ｃ１−３・・・受信アンテナ、Ｃ２−１〜Ｃ２−３・・・受信部、Ｃ３・・・端末制御部、Ｃ４−１〜Ｃ４−３・・・送信部、Ｃ５−１〜Ｃ５−３・・・送信アンテナ、１１ａ・・・品質処理部、１２ａ・・・ＣＡ処理部、１３ａ・・・データ通信処理部、１１１ａ・・・品質測定部、１１２ａ・・・品質管理部、１２１ａ・・・ＣＡ決定部（キャリア集合決定部）、１２２ａ・・・ＣＡ記憶部、１２３ａ・・・ハンドオーバ検出部（切替検出部）、１２４ａ・・・ハンドオーバ実行部（切替実行部）、１２５ａ・・・ＣＡセット通知部（キャリア集合情報通知部）、１３１ａ・・・ペイロード送受信処理部、１３２ａ・・・データ分配／結合部（データ分配部）、１３３ａ・・・データ送受信処理部、１３４ａ・・・無線処理部、１１ｂ・・・品質処理部、１２ｂ・・・ＣＡ処理部、１３ｂ・・・データ通信処理部、１１１ｂ・・・品質測定部、１１３ｂ・・・品質通知部、１２２ｂ・・・ＣＡ記憶部、１２６ｂ・・・ＣＡセット取得部、１３３ｂ・・・データ送受信処理部、１３４ｂ・・・無線処理部、１１ｃ・・・品質処理部、１２ｃ・・・ＣＡ処理部、１３ｃ・・・データ通信処理部、１１１ｃ・・・品質測定部、１１２ｃ・・・品質通知部、１２１ｃ・・・ＣＡ記憶部、１２２ｃ・・・ＣＡセット通知部、１３１ｃ・・・無線処理部
【図１】
0005446020.tif 000002
【図２】
0005446020.tif 000003
【図３】
0005446020.tif 000004
【図４】
0005446020.tif 000005
【図５】
0005446020.tif 000006
【図６】
0005446020.tif 000007
【図７】
0005446020.tif 000008
【図８】
0005446020.tif 000009
【図９】
0005446020.tif 000010
【図１０】
0005446020.tif 000011
【図１１】
0005446020.tif 000012
【図１２】
0005446020.tif 000013
【図１３】
0005446020.tif 000014
【図１４】
0005446020.tif 000015
【図１５】
0005446020.tif 000016
【図１６】
0005446020.tif 000017
【図１７】
0005446020.tif 000018
【図１８】
0005446020.tif 000019
【図１９】
0005446020.tif 000020
【図２０】
0005446020.tif 000021
【図２１】
0005446020.tif 000022